(57)【要約】  四重極ロッドセットイオンガイドまたは質量フィルタデバイス（６）を備える質量分析計が開示される。１つ以上のノッチ（１１ａ、１１ｂ、１１ｃ）を有する広帯域周波数信号（１０）が四重極ロッドセット（６）のロッドに印加される。ノッチ広帯域周波数信号（１０）は、不要なイオンをイオンガイド（６）から共振により排出させる。ノッチ広帯域周波数信号（１０）は、前方へ移送されることが所望のイオンの共振周波数に対応する欠落周波数成分を有する。イオンガイドまたは質量フィルタデバイス（６）は、異なる質量電荷比を有する複数の所望のイオンがイオンガイドまたは質量フィルタデバイス（６）によって同時に移送されることを可能にするが、他のイオンは、イオンガイドまたは質量フィルタデバイス（６）から共振により排出される。
2008521189.tif 000002
【特許請求の範囲】
【請求項１】
複数の電極またはロッドと、
ＡＣまたはＲＦ電圧を前記複数の電極またはロッドに印加するＡＣまたはＲＦ電圧源と、
イオンガイドまたは質量フィルタデバイス内またはそこから不要なイオンを共振により励起させるために前記複数の電極またはロッドに信号を供給するように配置および適合させた信号手段と
を備えるイオンガイドまたは質量フィルタデバイス。
【請求項２】
前記信号手段は、前記イオンガイドまたは質量フィルタデバイスから不要なイオンを半径方向に排出するように配置および適合させた、請求項１に記載のイオンガイドまたは質量フィルタデバイス。
【請求項３】
前記イオンガイドまたは質量フィルタデバイスは、イオンを前記イオンガイドまたは質量フィルタデバイス内に軸方向に実質的に閉じ込めるかまたはトラップすることなしにイオンを前方へ移送させるように配置および適合させた、請求項１または２に記載のイオンガイドまたは質量フィルタデバイス。
【請求項４】
対象検体イオンは、前記イオンガイドまたは質量フィルタデバイス内に軸方向に実質的に閉じ込めるかまたはトラップされずに前記イオンガイドまたは質量フィルタデバイスによって前方へ移送されるが、検体対象でない他のイオンは、前記イオンガイドまたは質量フィルタデバイスによって実質的に減衰される、請求項１、２または３に記載のイオンガイドまたは質量フィルタデバイス。
【請求項５】
前記イオンガイドまたは質量フィルタデバイスは、四重極イオンガイドまたは質量フィルタデバイスを備える、先行する請求項のいずれかに記載のイオンガイドまたは質量フィルタデバイス。
【請求項６】
前記複数の電極またはロッドは、４つのロッドを備える四重極ロッドセットを備える、先行する請求項のいずれかに記載のイオンガイドまたは質量フィルタデバイス。
【請求項７】
前記四重極ロッドセットの各ロッドは、長軸を有し、前記４つのロッドの各々の長軸は、互いに実質的平行および／または等距離である、請求項６に記載のイオンガイドまたは質量フィルタデバイス。
【請求項８】
前記イオンガイドまたは質量フィルタデバイスは、半径方向２次電位分布または半径方向直線電界を維持するように構成される、先行する請求項のいずれかに記載のイオンガイドまたは質量フィルタデバイス。
【請求項９】
前記信号手段は、広帯域周波数信号を前記複数の電極またはロッドに供給するように配置および適合させた、先行する請求項のいずれかに記載のイオンガイドまたは質量フィルタデバイス。
【請求項１０】
前記信号手段は、（ｉ）＜１ｋＨｚ、（ｉｉ）１〜２ｋＨｚ、（ｉｉｉ）２〜３ｋＨｚ、（ｉｖ）３〜４ｋＨｚ、（ｖ）４〜５ｋＨｚ、（ｖｉ）５〜６ｋＨｚ、（ｖｉｉ）６〜７ｋＨｚ、（ｖｉｉｉ）７〜８ｋＨｚ、（ｉｘ）８〜９ｋＨｚ、（ｘ）９〜１０ｋＨｚ、（ｘｉ）１０〜１１ｋＨｚ、（ｘｉｉ）１１〜１２ｋＨｚ、（ｘｉｉｉ）１２〜１３ｋＨｚ、（ｘｉｖ）１３〜１４ｋＨｚ、（ｘｖ）１４〜１５ｋＨｚ、（ｘｖｉ）１５〜１６ｋＨｚ、（ｘｖｉｉ）１６〜１７ｋＨｚ、（ｘｖｉｉｉ）１７〜１８ｋＨｚ、（ｘｉｘ）１８〜１９ｋＨｚ、（ｘｘ）１９〜２０ｋＨｚ、（ｘｘｉ）２０〜２１ｋＨｚ、（ｘｘｉｉ）２１〜２２ｋＨｚ、（ｘｘｉｉｉ）２２〜２３ｋＨｚ、（ｘｘｉｖ）２３〜２４ｋＨｚ、（ｘｘｖ）２４〜２５ｋＨｚ、（ｘｘｖｉ）２５〜２６ｋＨｚ、（ｘｘｖｉｉ）２６〜２７ｋＨｚ、（ｘｘｖｉｉｉ）２７〜２８ｋＨｚ、（ｘｘｉｘ）２８〜２９ｋＨｚ、（ｘｘｘ）２９〜３０ｋＨｚ、および（ｘｘｘｉ）＞３０ｋＨｚの範囲うちの１つ以上から選択される１つ以上の周波数成分を有する信号を供給するように配置および適合させた、先行する請求項のいずれかに記載のイオンガイドまたは質量フィルタデバイス。
【請求項１１】
前記信号手段は、双極および／または四重極波形を有する信号を供給するように配置および適合させた、先行する請求項のいずれかに記載のイオンガイドまたは質量フィルタデバイス。
【請求項１２】
前記信号手段は、前記イオンガイドまたは質量フィルタデバイスによって使用に際して受け取られた複数のイオンの永続、共振、第１または基本高調波振動数に対応する複数の周波数成分を有する信号を提供するように配置および適合させた、先行する請求項のいずれかに記載のイオンガイドまたは質量フィルタデバイス。
【請求項１３】
前記信号手段は、１つ以上の周波数ノッチを有する信号を供給するように配置および適合させた、先行する請求項のいずれかに記載のイオンガイドまたは質量フィルタデバイス。
【請求項１４】
前記信号は、少なくとも１、２、３、４、５、６、７、８、９、１０、１１、１２、１３、１４、１５、１６、１７、１８、１９または２０の周波数ノッチを備える、請求項１３に記載のイオンガイドまたは質量フィルタデバイス。
【請求項１５】
前記１つ以上の周波数ノッチは、前記イオンガイドまたは質量フィルタデバイスによって前方へ移送されることが所望の１つ以上のイオンの永続、共振、第１または基本高調波振動数に対応する、請求項１３または１４に記載のイオンガイドまたは質量フィルタデバイス。
【請求項１６】
前記１つ以上の周波数ノッチは、少なくとも１、２、３、４、５、６、７、８、９、１０、１１、１２、１３、１４、１５、１６、１７、１８、１９または２０の異なる種の対象検体イオンの永続、共振、第１または基本高調波振動数に対応する、請求項１３、１４または１５に記載のイオンガイドまたは質量フィルタデバイス。
【請求項１７】
前記信号手段は、対象検体イオンを共振により励起させ、および／または前記イオンガイドまたは質量フィルタデバイスから半径方向に排出させることが実質的にない信号を前記複数の電極またはロッドに供給するように配置および適合させた、先行する請求項のいずれかに記載のイオンガイドまたは質量フィルタデバイス。
【請求項１８】
前記１つ以上の周波数ノッチに対応する周波数において、前記イオンガイドまたは質量フィルタデバイス内のイオンは、実質的に共振により励起されない、請求項１３〜１７のいずれかに記載のイオンガイドまたは質量フィルタデバイス。
【請求項１９】
前記１つ以上の周波数ノッチに対応する周波数において、前記イオンガイドまたは質量フィルタデバイス内のイオンは、共振により励起されるが、イオンが前記イオンガイドまたは質量フィルタデバイスから半径方向に排出されるのに十分には共振により励起されない、請求項１３〜１７のいずれかに記載のイオンガイドまたは質量フィルタデバイス。
【請求項２０】
前記信号手段は、（ｉ）Ｍ１およびＭ３の質量電荷比を有するイオンが前記イオンガイドまたは質量フィルタデバイスによって同時に前方へ移送され、および（ｉｉ）Ｍ２の質量電荷比を有するイオンが前記イオンガイドもしくは質量フィルタデバイスによって実質的に減衰されるか、または前記イオンガイドもしくは質量フィルタデバイスから実質的に共振により排出されるように配置および適合され、ここでＭ１＜Ｍ２＜Ｍ３である、先行する請求項のいずれかに記載のイオンガイドまたは質量フィルタデバイス。
【請求項２１】
前記信号手段は、（ｉ）Ｍ１、Ｍ３およびＭ５の質量電荷比を有するイオンが前記イオンガイドまたは質量フィルタデバイスによって同時に前方へ移送され、および（ｉｉ）Ｍ２およびＭ４の質量電荷比を有するイオンが前記イオンガイドもしくは質量フィルタデバイスによって実質的に減衰されるか、または前記イオンガイドもしくは質量フィルタデバイスから実質的に共振により排出されるように配置および適合され、ここでＭ１＜Ｍ２＜Ｍ３＜Ｍ４＜Ｍ５である、先行する請求項のいずれかに記載のイオンガイドまたは質量フィルタデバイス。
【請求項２２】
前記信号手段は、（ｉ）Ｍ１、Ｍ３、Ｍ５およびＭ７の質量電荷比を有するイオンが前記イオンガイドまたは質量フィルタデバイスによって同時に前方へ移送され、および（ｉｉ）Ｍ２、Ｍ４およびＭ６の質量電荷比を有するイオンが前記イオンガイドもしくは質量フィルタデバイスによって実質的に減衰されるか、または前記イオンガイドもしくは質量フィルタデバイスから実質的に共振により排出されるように配置および適合され、ここでＭ１＜Ｍ２＜Ｍ３＜Ｍ４＜Ｍ５＜Ｍ６＜Ｍ７である、先行する請求項のいずれかに記載のイオンガイドまたは質量フィルタデバイス。
【請求項２３】
前記信号手段は、（ｉ）Ｍ１、Ｍ３、Ｍ５、Ｍ７およびＭ９の質量電荷比を有するイオンが前記イオンガイドまたは質量フィルタデバイスによって同時に前方へ移送され、および（ｉｉ）Ｍ２、Ｍ４、Ｍ６およびＭ８の質量電荷比を有するイオンが前記イオンガイドもしくは質量フィルタデバイスによって実質的に減衰されるか、または前記イオンガイドもしくは質量フィルタデバイスから実質的に共振により排出されるように配置および適合され、ここでＭ１＜Ｍ２＜Ｍ３＜Ｍ４＜Ｍ５＜Ｍ６＜Ｍ７＜Ｍ８＜Ｍ９である、先行する請求項のいずれかに記載のイオンガイドまたは質量フィルタデバイス。
【請求項２４】
前記信号手段は、質量電荷比移送ウィンドウ内に質量電荷比を有するイオンが前記イオンガイドまたは質量フィルタデバイスによって前方へ移送されるように、前記イオンガイドまたは質量フィルタデバイスが１つもしくは複数の離散なまたは別々の同時質量電荷比移送ウィンドウを有するように配置および適合させた、先行する請求項のいずれかに記載のイオンガイドまたは質量フィルタデバイス。
【請求項２５】
前記信号手段は、質量電荷比移送ウィンドウ外に質量電荷比を有するイオンが前記イオンガイドもしくは質量フィルタデバイスによって実質的に減衰されるか、および／または実質的にそこから共振により排出されるように、前記イオンガイドまたは質量フィルタデバイスが１つもしくは複数の離散なまたは別々の同時質量電荷比移送ウィンドウを有するように配置および適合させた、先行する請求項のいずれかに記載のイオンガイドまたは質量フィルタデバイス。
【請求項２６】
前記信号手段は、前記イオンガイドまたは質量フィルタデバイスが少なくとも１、２、３、４、５、６、７、８、９、１０、１１、１２、１３、１４、１５、１６、１７、１８、１９または２０の離散なまたは別々の同時質量電荷比移送ウィンドウを有するように配置および適合させた、請求項２４または２５に記載のイオンガイドまたは質量フィルタデバイス。
【請求項２７】
前記離散なまたは別々の同時質量電荷比移送ウィンドウは、実質的に重複しないか、および／または連続しない、請求項２６に記載のイオンガイドまたは質量フィルタデバイス。
【請求項２８】
前記１つ以上の質量電荷比移送ウィンドウの中心および／または幅は、経時的に、または（ｉ）０〜１ｍｓ、（ｉｉ）１〜２ｍｓ、（ｉｉｉ）２〜３ｍｓ、（ｉｖ）３〜４ｍｓ、（ｖ）４〜５ｍｓ、（ｖｉ）５〜６ｍｓ、（ｖｉｉ）６〜７ｍｓ、（ｖｉｉｉ）７〜８ｍｓ、（ｉｘ）８〜９ｍｓ、（ｘ）９〜１０ｍｓ、（ｘｉ）１０〜１１ｍｓ、（ｘｉｉ）１１〜１２ｍｓ、（ｘｉｉｉ）１２〜１３ｍｓ、（ｘｉｖ）１３〜１４ｍｓ、（ｘｖ）１４〜１５ｍｓ、（ｘｖｉ）１５〜１６ｍｓ、（ｘｖｉｉ）１６〜１７ｍｓ、（ｘｖｉｉｉ）１７〜１８ｍｓ、（ｘｉｘ）１８〜１９ｍｓ、（ｘｘ）１９〜２０ｍｓ、（ｘｘｉ）２０〜２１ｍｓ、（ｘｘｉｉ）２１〜２２ｍｓ、（ｘｘｉｉｉ）２２〜２３ｍｓ、（ｘｘｉｖ）２３〜２４ｍｓ、（ｘｘｖ）２４〜２５ｍｓ、（ｘｘｖｉ）２５〜２６ｍｓ、（ｘｘｖｉｉ）２６〜２７ｍｓ、（ｘｘｖｉｉｉ）２７〜２８ｍｓ、（ｘｘｉｘ）２８〜２９ｍｓ、（ｘｘｘ）２９〜３０ｍｓ、および（ｘｘｘｉ）＞３０ｍｓからなる群から選択される期間にわたり実質的に一定のままである、請求項２４〜２７のいずれかに記載のイオンガイドまたは質量フィルタデバイス。
【請求項２９】
前記１つ以上の質量電荷比移送ウィンドウの中心および／または幅は、経時的に、または（ｉ）０〜１ｍｓ、（ｉｉ）１〜２ｍｓ、（ｉｉｉ）２〜３ｍｓ、（ｉｖ）３〜４ｍｓ、（ｖ）４〜５ｍｓ、（ｖｉ）５〜６ｍｓ、（ｖｉｉ）６〜７ｍｓ、（ｖｉｉｉ）７〜８ｍｓ、（ｉｘ）８〜９ｍｓ、（ｘ）９〜１０ｍｓ、（ｘｉ）１０〜１１ｍｓ、（ｘｉｉ）１１〜１２ｍｓ、（ｘｉｉｉ）１２〜１３ｍｓ、（ｘｉｖ）１３〜１４ｍｓ、（ｘｖ）１４〜１５ｍｓ、（ｘｖｉ）１５〜１６ｍｓ、（ｘｖｉｉ）１６〜１７ｍｓ、（ｘｖｉｉｉ）１７〜１８ｍｓ、（ｘｉｘ）１８〜１９ｍｓ、（ｘｘ）１９〜２０ｍｓ、（ｘｘｉ）２０〜２１ｍｓ、（ｘｘｉｉ）２１〜２２ｍｓ、（ｘｘｉｉｉ）２２〜２３ｍｓ、（ｘｘｉｖ）２３〜２４ｍｓ、（ｘｘｖ）２４〜２５ｍｓ、（ｘｘｖｉ）２５〜２６ｍｓ、（ｘｘｖｉｉ）２６〜２７ｍｓ、（ｘｘｖｉｉｉ）２７〜２８ｍｓ、（ｘｘｉｘ）２８〜２９ｍｓ、（ｘｘｘ）２９〜３０ｍｓ、および（ｘｘｘｉ）＞３０ｍｓからなる群から選択される期間にわたり実質的に変動および／または増加および／または低減する、請求項２４〜２７のいずれかに記載のイオンガイドまたは質量フィルタデバイス。
【請求項３０】
前記１つ以上の質量電荷比移送ウィンドウの中心および／または幅は、実質的に漸進的、非漸進的、直線的、非直線的、２次的、滑らか、段階的、規則的、ランダム、または準ランダムに変動し得る、請求項２９に記載のイオンガイドまたは質量フィルタデバイス。
【請求項３１】
前記信号手段は、前記信号を前記イオンガイドまたは質量フィルタデバイスの対向するかまたは隣り合わない電極またはロッドに印加するように配置および適合させた、先行する請求項のいずれかに記載のイオンガイドまたは質量フィルタデバイス。
【請求項３２】
前記イオンガイドまたは質量フィルタデバイスは、イオン入射口領域およびイオン出射口領域を有し、動作モードにおいて、前記イオン入射口領域において前記イオンガイドまたは質量フィルタデバイスによって受け取られたイオンのｘ％は、前記イオン出射口領域に移送され、ここでｘは、（ｉ）＜１、（ｉｉ）１〜５、（ｉｉｉ）５〜１０、（ｉｖ）１０〜１５、（ｖ）１５〜２０、（ｖｉ）２０〜２５、（ｖｉｉ）２５〜３０、（ｖｉｉｉ）３０〜３５、（ｉｘ）３５〜４０、（ｘ）４０〜４５、（ｘｉ）４５〜５０、（ｘｉｉ）５０〜５５、（ｘｉｉｉ）５５〜６０、（ｘｉｖ）６０〜６５、（ｘｖ）６５〜７０、（ｘｖｉ）７０〜７５、（ｘｖｉｉ）７５〜８０、（ｘｖｉｉｉ）８０〜８５、（ｘｉｘ）８５〜９０、（ｘｘ）９０〜９５、（ｘｘｉ）９５〜９９．９９、および（ｘｘｉｉ）＜１００からなる群から選択される、先行する請求項のいずれかに記載のイオンガイドまたは質量フィルタデバイス。
【請求項３３】
前記イオンガイドまたは質量フィルタデバイスは、イオン入射口領域およびイオン出射口領域を有し、動作モードにおいて、前記イオン入射口領域において前記イオンガイドまたは質量フィルタデバイスによって受け取られたイオンのｙ％は、前記イオン出射口領域に到達する前に減衰されるか、および／または前記イオンガイドまたは質量フィルタデバイスから半径方向に排出され、ここで、ｙは、（ｉ）＜１、（ｉｉ）１〜５、（ｉｉｉ）５〜１０、（ｉｖ）１０〜１５、（ｖ）１５〜２０、（ｖｉ）２０〜２５、（ｖｉｉ）２５〜３０、（ｖｉｉｉ）３０〜３５、（ｉｘ）３５〜４０、（ｘ）４０〜４５、（ｘｉ）４５〜５０、（ｘｉｉ）５０〜５５、（ｘｉｉｉ）５５〜６０、（ｘｉｖ）６０〜６５、（ｘｖ）６５〜７０、（ｘｖｉ）７０〜７５、（ｘｖｉｉ）７５〜８０、（ｘｖｉｉｉ）８０〜８５、（ｘｉｘ）８５〜９０、（ｘｘ）９０〜９５、（ｘｘｉ）９５〜９９．９９、および（ｘｘｉｉ）＜１００からなる群から選択される、先行する請求項のいずれかに記載のイオンガイドまたは質量フィルタデバイス。
【請求項３４】
前記イオンガイドまたは質量フィルタデバイスは、非連続な範囲の質量電荷比を有する複数の異なる所望のイオンを同時に移送するように配置および適合させた、先行する請求項のいずれかに記載のイオンガイドまたは質量フィルタデバイス。
【請求項３５】
前記ＡＣまたはＲＦ電圧源は、二位相源を備え、逆位相の前記ＡＣまたはＲＦ電圧は、隣り合う電極またはロッドに印加されるように構成される、先行する請求項のいずれかに記載のイオンガイドまたは質量フィルタデバイス。
【請求項３６】
前記ＡＣまたはＲＦ電圧源は、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、（ｘｉ）５００〜１０００Ｖピーク・トゥ・ピーク、（ｘｉｉ）１〜２ｋＶピーク・トゥ・ピーク、（ｘｉｉｉ）２〜３ｋＶピーク・トゥ・ピーク、（ｘｉｖ）３〜４ｋＶピーク・トゥ・ピーク、（ｘｖ）４〜５ｋＶピーク・トゥ・ピーク、（ｘｖｉ）５〜６ｋＶピーク・トゥ・ピーク、（ｘｖｉｉ）６〜７ｋＶピーク・トゥ・ピーク、（ｘｖｉｉｉ）７〜８ｋＶピーク・トゥ・ピーク、（ｘｉｘ）８〜９ｋＶピーク・トゥ・ピーク、（ｘｘ）９〜１０ｋＶピーク・トゥ・ピーク、および（ｘｘｉ）＞１０ｋＶピーク・トゥ・ピークからなる群から選択される振幅を有するＡＣまたはＲＦ電圧を、前記複数の電極またはロッドに印加するように配置および適合させた、先行する請求項のいずれかに記載のイオンガイドまたは質量フィルタデバイス。
【請求項３７】
前記ＡＣまたはＲＦ電圧源は、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を、前記複数の電極またはロッドに印加するように配置および適合させた、先行する請求項のいずれかに記載のイオンガイドまたは質量フィルタデバイス。
【請求項３８】
第１動作モードにおいて、実質的にすべての前記電極またはロッドは、実質的に同じＤＣ電位または電圧に維持される、先行する請求項のいずれかに記載のイオンガイドまたは質量フィルタデバイス。
【請求項３９】
第１動作モードにおいて、前記イオンガイドまたは質量フィルタデバイスは、実質的に非分解またはイオンガイド動作モードで動作される、先行する請求項のいずれかに記載のイオンガイドまたは質量フィルタデバイス。
【請求項４０】
第２動作モードにおいて、隣り合う電極またはロッドは、実質的に異なるＤＣ電位または電圧に維持される、先行する請求項のいずれかに記載のイオンガイドまたは質量フィルタデバイス。
【請求項４１】
前記第２動作モードにおいて、隣り合う電極またはロッド間でＤＣ電位または電圧差が維持され、ここで前記ＤＣ電位または電圧差は、（ｉ）＜１Ｖ、（ｉｉ）１〜２Ｖ、（ｉｉｉ）２〜３Ｖ、（ｉｖ）３〜４Ｖ、（ｖ）４〜５Ｖ、（ｖｉ）５〜６Ｖ、（ｖｉｉ）６〜７Ｖ、（ｖｉｉｉ）７〜８Ｖ、（ｉｘ）８〜９Ｖ、（ｘ）９〜１０Ｖ、（ｘｉ）１０〜２０Ｖ、（ｘｉｉ）２０〜３０Ｖ、（ｘｉｉｉ）３０〜４０Ｖ、（ｘｉｖ）４０〜５０Ｖ、（ｘｖ）５０〜６０Ｖ、（ｘｖｉ）６０〜７０Ｖ、（ｘｖｉｉ）７０〜８０Ｖ、（ｘｖｉｉｉ）８０〜９０Ｖ、（ｘｉｘ）９０〜１００Ｖ、および（ｘｘ）＞１００Ｖからなる群から選択される、請求項４０に記載のイオンガイドまたは質量フィルタデバイス。
【請求項４２】
前記第２動作モードにおいて、対向し合う電極またはロッドは、実質的に同じＤＣ電位または電圧に維持される、請求項４０または４１に記載のイオンガイドまたは質量フィルタデバイス。
【請求項４３】
動作モードにおいて、前記イオンガイドまたは質量フィルタデバイスは、分解または質量フィルタリング動作モードで動作される、請求項４０、４１または４２に記載のイオンガイドまたは質量フィルタデバイス。
【請求項４４】
動作モードにおいて、前記イオンガイドまたは質量フィルタデバイスは、１つ以上の質量電荷比移送ウィンドウを有し、前記１つ以上の質量電荷比移送ウィンドウは、ｚ質量単位の幅を有し、ここでｚは、（ｉ）＜１、（ｉｉ）１〜２、（ｉｉｉ）２〜３、（ｉｖ）３〜４、（ｖ）４〜５、（ｖｉ）５〜６、（ｖｉｉ）６〜７、（ｖｉｉｉ）７〜８、（ｉｘ）８〜９、（ｘ）９〜１０、（ｘｉ）１０〜１５、（ｘｉｉ）１５〜２０、（ｘｉｉｉ）２０〜２５、（ｘｉｖ）２５〜３０、（ｘｖ）３０〜３５、（ｘｖｉ）３５〜４０、（ｘｖｉｉ）４０〜４５、（ｘｖｉｉｉ）４５〜５０、（ｘｉｘ）５０〜６０、（ｘｘ）６０〜７０、（ｘｘｉ）７０〜８０、（ｘｘｉｉ）８０〜９０、（ｘｘｉｉｉ）９０〜１００、（ｘｘｉｖ）１００〜１２０、（ｘｘｖ）１２０〜１４０、（ｘｘｖｉ）１４０〜１６０、（ｘｘｖｉｉ）１６０〜１８０、（ｘｘｖｉｉｉ）１８０〜２００、（ｘｘｉｘ）２００〜２５０、（ｘｘｘ）２５０〜３００、（ｘｘｘｉ）３００〜３５０、（ｘｘｘｉｉ）３５０〜４００、（ｘｘｘｉｉｉ）４００〜４５０、（ｘｘｘｉｖ）４５０〜５００、および（ｘｘｘｖ）＞５００からなる群から選択される範囲内にある、先行する請求項のいずれかに記載のイオンガイドまたは質量フィルタデバイス。
【請求項４５】
動作モードにおいて、ＤＣおよび／またはＡＣもしくはＲＦ電圧の組み合わせが、前記イオンガイドまたは質量フィルタデバイスが低域通過質量フィルタとして動作するように構成されるように前記複数の電極またはロッドに印加される、先行する請求項のいずれかに記載のイオンガイドまたは質量フィルタデバイス。
【請求項４６】
前記イオンガイドまたは質量フィルタデバイスが低域通過質量フィルタとして動作するように構成される場合に、高い質量電荷比カットオフ値よりも大きな質量電荷比を有するイオンが前記イオンガイドまたは質量フィルタデバイスによって実質的に減衰され、ここで前記高い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される、請求項４５に記載のイオンガイドまたは質量フィルタデバイス。
【請求項４７】
動作モードにおいて、ＤＣおよび／またはＡＣもしくはＲＦ電圧の組み合わせが、前記イオンガイドまたは質量フィルタデバイスが帯域通過質量フィルタとして動作するように構成されるように前記複数の電極またはロッドに印加される、先行する請求項のいずれかに記載のイオンガイドまたは質量フィルタデバイス。
【請求項４８】
前記イオンガイドまたは質量フィルタデバイスが帯域通過質量フィルタとして動作するように構成される場合に、高い質量電荷比カットオフ値よりも大きな質量電荷比を有するイオンが前記イオンガイドまたは質量フィルタデバイスによって実質的に減衰され、ここで前記高い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される、請求項４７に記載のイオンガイドまたは質量フィルタデバイス。
【請求項４９】
前記イオンガイドまたは質量フィルタデバイスが帯域通過質量フィルタとして動作するように構成される場合に、低い質量電荷比カットオフ値よりも低い質量電荷比を有するイオンが前記イオンガイドまたは質量フィルタデバイスによって実質的に減衰され、ここで前記低い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される、請求項４７または４８に記載のイオンガイドまたは質量フィルタデバイス。
【請求項５０】
動作モードにおいて、ＤＣおよび／またはＡＣもしくはＲＦ電圧の組み合わせが、前記イオンガイドまたは質量フィルタデバイスが高域通過質量フィルタとして動作するように構成されるように前記複数の電極またはロッドに印加される、先行する請求項のいずれかに記載のイオンガイドまたは質量フィルタデバイス。
【請求項５１】
前記イオンガイドまたは質量フィルタデバイスが高域通過質量フィルタとして動作するように構成される場合に、低い質量電荷比カットオフ値よりも低い質量電荷比を有するイオンが前記イオンガイドまたは質量フィルタデバイスによって実質的に減衰され、ここで前記低い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される、請求項５０に記載のイオンガイドまたは質量フィルタデバイス。
【請求項５２】
動作モードにおいて、前記イオンガイドまたは質量フィルタデバイスは、（ｉ）＜１０-3ｍｂａｒ、（ｉｉ）＜１０-4ｍｂａｒ、（ｉｉｉ）＜１０-5ｍｂａｒ、（ｉｖ）＜１０-6ｍｂａｒ、（ｖ）＜１０-7ｍｂａｒ、（ｖｉ）１０-3〜１０-4ｍｂａｒ、（ｖｉｉ）１０-4〜１０-5ｍｂａｒ、および（ｖｉｉｉ）＞１０-3ｍｂａｒの圧力に維持される、先行する請求項のいずれかに記載のイオンガイドまたは質量フィルタデバイス。
【請求項５３】
動作モードにおいて、前記イオンガイドまたは質量フィルタデバイスは、（ｉ）＞１００ｍｂａｒ、（ｉｉ）＜１００ｍｂａｒ、（ｉｉｉ）＜１０ｍｂａｒ、（ｉｖ）＜１ｍｂａｒ、（ｖ）＜１０-1ｍｂａｒ、（ｖｉ）＜１０-2ｍｂａｒ、（ｖｉｉ）＜１０-3ｍｂａｒ、（ｖｉｉｉ）＜１０-4ｍｂａｒ、（ｉｘ）＜１０-5ｍｂａｒ、（ｘ）＜１０-6ｍｂａｒ、（ｘｉ）＜１０-7ｍｂａｒ、（ｘｉｉ）１０〜１００ｍｂａｒ、（ｘｉｉｉ）１〜１０ｍｂａｒ、（ｘｉｖ）０．１〜１ｍｂａｒ、（ｘｖ）１０-2〜１０-1ｍｂａｒ、（ｘｖｉ）１０-3〜１０-2ｍｂａｒ、（ｘｖｉｉ）１０-4〜１０-3ｍｂａｒ、および（ｘｖｉｉｉ）１０-5〜１０-4ｍｂａｒの圧力に維持される、先行する請求項のいずれかに記載のイオンガイドまたは質量フィルタデバイス。
【請求項５４】
先行する請求項のいずれかに記載のイオンガイドまたは質量フィルタデバイスを備える質量分析計。
【請求項５５】
前記イオンガイドまたは質量フィルタデバイスの上流および／または下流に配置される衝突、フラグメンテーションまたは反応デバイスをさらに備える請求項５４に記載の質量分析計。
【請求項５６】
前記衝突、フラグメンテーションまたは反応デバイスは、
（ｉ）多重極ロッドセットもしくは分割多重極ロッドセット、
（ｉｉ）イオントンネルもしくはイオンファネル、または
(ｉｉｉ）積層もしくは配列された平面状、板状、もしくは網状の電極
を備える、請求項５５に記載の質量分析計。
【請求項５７】
前記多重極ロッドセットは、四重極ロッドセット、六重極ロッドセット、八重極ロッドセット、または８つより多くのロッドを備えるロッドセットを備える、請求項５６に記載の質量分析計。
【請求項５８】
前記イオントンネルまたはイオンファネルは、使用に際してイオンが移送される開口を有する複数の電極または少なくとも２、５、１０、２０、３０、４０、５０、６０、７０、８０、９０もしくは１００の電極を備え、前記電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、実質的に同じサイズもしくは面積を有するか、またはサイズもしくは面積が漸進的に大きくなるかおよび／もしくは小さくなる開口を有する、請求項５６に記載の質量分析計。
【請求項５９】
前記電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または寸法を有する、請求項５８に記載の質量分析計。
【請求項６０】
前記積層または配列された平面状、板状、または網状の電極は、複数または少なくとも２、３、４、５、６、７、８、９、１０、１１、１２、１３、１４、１５、１６、１７、１８、１９もしくは２０の平面状、板状、または網状の電極を備え、ここで前記平面状、板状、または網状の電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、使用に際してイオンが走行する平面に概ね配置される、請求項５６に記載の質量分析計。
【請求項６１】
前記複数の平面状、板状、または網状の電極にＡＣまたはＲＦ電圧を印加するＡＣまたはＲＦ電圧手段をさらに備え、隣り合う平面状、板状、または網状の電極には逆位相の前記ＡＣまたはＲＦ電圧が印加される、請求項６０に記載の質量分析計。
【請求項６２】
前記衝突、フラグメンテーションまたは反応デバイスは、複数の軸方向セグメントまたは少なくとも５、１０、１５、２０、２５、３０、３５、４０、４５、５０、５５、６０、６５、７０、７５、８０、８５、９０、９５もしくは１００の軸方向セグメントを備える、請求項５５〜６１のいずれかに記載の質量分析計。
【請求項６３】
前記衝突、フラグメンテーションまたは反応デバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って実質的に一定のＤＣ電圧勾配を維持するＤＣ電圧手段をさらに備える請求項５５〜６２のいずれかに記載の質量分析計。
【請求項６４】
少なくともいくつかのイオンを前記衝突、フラグメンテーションまたは反応デバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、１つ以上の過渡ＤＣ電圧もしくは電位または１つ以上の過渡ＤＣ電圧もしくは電位波形を前記衝突、フラグメンテーションまたは反応デバイス形成する電極に印加するように配置および適合させた過渡ＤＣ電圧手段をさらに備える請求項５５〜６３のいずれかに記載の質量分析計。
【請求項６５】
少なくともいくつかのイオンを前記衝突、フラグメンテーションまたは反応デバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、２つ以上の位相シフトＡＣまたはＲＦ電圧を前記衝突、フラグメンテーションまたは反応デバイスを形成する電極に印加するように配置および適合させたＡＣまたはＲＦ電圧手段をさらに備える請求項５５〜６４のいずれかに記載の質量分析計。
【請求項６６】
前記衝突、フラグメンテーションまたは反応デバイスは、衝突、フラグメンテーションまたは反応デバイス内に半径方向にイオンを閉じ込めるために、ＡＣまたはＲＦ電圧を前記衝突、フラグメンテーションまたは反応デバイスの前記複数の電極のうちの少なくとも５％、１０％、１５％、２０％、２５％、３０％、３５％、４０％、４５％、５０％、５５％、６０％、６５％、７０％、７５％、８０％、８５％、９０％、９５％または１００％に印加するように配置および適合させたＡＣまたはＲＦ電圧手段をさらに備える、請求項５５〜６５のいずれかに記載の質量分析計。
【請求項６７】
前記ＡＣまたはＲＦ電圧手段は、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、および（ｘｉ）＞５００Ｖピーク・トゥ・ピークからなる群から選択される振幅を有するＡＣまたはＲＦ電圧を、前記衝突、フラグメンテーションまたは反応デバイスの前記複数の電極に印加するように配置および適合させた、請求項６６に記載の質量分析計。
【請求項６８】
前記ＡＣまたはＲＦ電圧手段は、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を、前記衝突、フラグメンテーションまたは反応デバイスの前記複数の電極に印加するように配置および適合させた、請求項６６または６７に記載の質量分析計。
【請求項６９】
前記衝突、フラグメンテーションまたは反応デバイスは、衝突誘起解離（「ＣＩＤ」）によってイオンをフラグメンテーションするように構成される、請求項５５〜６８のいずれかに記載の質量分析計。
【請求項７０】
前記衝突、フラグメンテーションまたは反応デバイスは、（ｉ）表面誘起解離（「ＳＩＤ」）フラグメンテーションデバイス、（ｉｉ）電子移動解離フラグメンテーションデバイス、（ｉｉｉ）電子捕獲解離フラグメンテーションデバイス、（ｉｖ）電子衝突または衝撃解離フラグメンテーションデバイス、（ｖ）光誘起解離（「ＰＩＤ」）フラグメンテーションデバイス、（ｖｉ）レーザ誘起解離フラグメンテーションデバイス、（ｖｉｉ）赤外放射誘起解離デバイス、（ｖｉｉｉ）紫外放射誘起解離デバイス、（ｉｘ）ノズル−スキマ間インターフェースフラグメンテーションデバイス、（ｘ）イオン源フラグメンテーションデバイス、（ｘｉ）イオン源衝突誘起解離フラグメンテーションデバイス、（ｘｉｉ）熱または温度源フラグメンテーションデバイス、（ｘｉｉｉ）電界誘起フラグメンテーションデバイス、（ｘｉｖ）磁場誘起フラグメンテーションデバイス、（ｘｖ）酵素消化または酵素分解フラグメンテーションデバイス、（ｘｖｉ）イオン−イオン反応フラグメンテーションデバイス、（ｘｖｉｉ）イオン−分子反応フラグメンテーションデバイス、（ｘｖｉｉｉ）イオン−原子反応フラグメンテーションデバイス、（ｘｉｘ）イオン−準安定イオン反応フラグメンテーションデバイス、（ｘｘ）イオン−準安定分子反応フラグメンテーションデバイス、（ｘｘｉ）イオン−準安定原子反応フラグメンテーションデバイス、（ｘｘｉｉ）イオンを反応させて付加物または生成物イオンを形成するためのイオン−イオン反応デバイス、（ｘｘｉｉｉ）イオンを反応させて付加物または生成物イオンを形成するためのイオン−分子反応デバイス、（ｘｘｉｖ）イオンを反応させて付加物または生成物イオンを形成するためのイオン−原子反応デバイス、（ｘｘｖ）イオンを反応させて付加物または生成物イオンを形成するためのイオン−準安定イオン反応デバイス、（ｘｘｖｉ）イオンを反応させて付加物または生成物イオンを形成するためのイオン−準安定分子反応デバイス、および（ｘｘｖｉｉ）イオンを反応させて付加物または生成物イオンを形成するためのイオン−準安定原子反応デバイスからなる群から選択される、請求項５５〜６８のいずれかに記載の質量分析計。
【請求項７１】
前記イオンガイドまたは質量フィルタデバイスの上流および／または下流に配置されるイオン移動度分光計またはセパレータをさらに備える請求項５４〜７０のいずれかに記載の質量分析計。
【請求項７２】
前記イオン移動度分光計またはセパレータは、気相電気泳動デバイスを備える請求項に７１に記載の質量分析計。
【請求項７３】
前記イオン移動度分光計またはセパレータは、
（ｉ）ドリフト管、
（ｉｉ）多重極ロッドセットもしくは分割多重極ロッドセット、
(ｉｉｉ）イオントンネルもしくはイオンファネル、または
(ｉｖ）積層もしくは配列された平面状、板状、もしくは網状の電極
を備える請求項７１または７２に記載の質量分析計。
【請求項７４】
前記ドリフト管は、１つ以上の電極、および前記ドリフト管の軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って軸方向ＤＣ電圧勾配または実質的に一定もしくは直線の軸方向ＤＣ電圧勾配を維持する手段を備える請求項７３に記載の質量分析計。
【請求項７５】
前記多重極ロッドセットは、四重極ロッドセット、六重極ロッドセット、八重極ロッドセット、または８つより多くのロッドを備えるロッドセットを備える請求項７３に記載の質量分析計。
【請求項７６】
前記イオントンネルまたはイオントンネルは、使用に際してイオンが移送される開口を有する複数の電極または少なくとも２、５、１０、２０、３０、４０、５０、６０、７０、８０、９０もしくは１００の電極を備え、前記電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、実質的に同じサイズもしくは面積を有するか、またはサイズもしくは面積が漸進的に大きくなるかおよび／もしくは小さくなる開口を有する、請求項７３に記載の質量分析計。
【請求項７７】
前記電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または寸法を有する、請求項７６に記載の質量分析計。
【請求項７８】
前記積層または配列された平面状、板状、または網状の電極は、使用に際してイオンが走行する平面に概ね配置される、複数または少なくとも２、３、４、５、６、７、８、９、１０、１１、１２、１３、１４、１５、１６、１７、１８、１９もしくは２０の平面状、板状、または網状の電極を備える請求項７３に記載の質量分析計。
【請求項７９】
前記平面状、板状、または網状の電極の少なくともいくつかまたは少なくとも５％、１０％、１５％、２０％、２５％、３０％、３５％、４０％、４５％、５０％、５５％、６０％、６５％、７０％、７５％、８０％、８５％、９０％、９５％もしくは１００％には、ＡＣまたはＲＦ電圧が印加され、隣り合う平面状、板状、または網状の電極には、逆位相の前記ＡＣまたはＲＦ電圧が印加される、請求項７８に記載の質量分析計。
【請求項８０】
前記イオン移動度分光計またはセパレータは、複数の軸方向セグメントまたは少なくとも５、１０、１５、２０、２５、３０、３５、４０、４５、５０、５５、６０、６５、７０、７５、８０、８５、９０、９５もしくは１００の軸方向セグメントを備える請求項７１〜７９のいずれかに記載の質量分析計。
【請求項８１】
少なくともいくつかのイオンを前記イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、前記イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って実質的に一定のＤＣ電圧勾配を維持するＤＣ電圧手段をさらに備える請求項７１〜８０のいずれかに記載の質量分析計。
【請求項８２】
少なくともいくつかのイオンを前記イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、１つ以上の過渡ＤＣ電圧もしくは電位または１つ以上の過渡ＤＣ電圧もしくは電位波形を前記イオン移動度分光計またはセパレータを形成する電極に印加するように配置および適合させた過渡ＤＣ電圧手段をさらに備える請求項７１〜８１のいずれかに記載の質量分析計。
【請求項８３】
少なくともいくつかのイオンを前記イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、２つ以上の位相シフトＡＣまたはＲＦ電圧を前記イオン移動度分光計またはセパレータを形成する電極に印加するように配置および適合させたＡＣまたはＲＦ電圧手段をさらに備える請求項７１〜８２のいずれかに記載の質量分析計。
【請求項８４】
前記イオン移動度分光計またはセパレータは、（ｉ）＜２０ｍｍ、（ｉｉ）２０〜４０ｍｍ、（ｉｉｉ）４０〜６０ｍｍ、（ｉｖ）６０〜８０ｍｍ、（ｖ）８０〜１００ｍｍ、（ｖｉ）１００〜１２０ｍｍ、（ｖｉｉ）１２０〜１４０ｍｍ、（ｖｉｉｉ）１４０〜１６０ｍｍ、（ｉｘ）１６０〜１８０ｍｍ、（ｘ）１８０〜２００ｍｍ、（ｘｉ）２００〜２２０ｍｍ、（ｘｉｉ）２２０〜２４０ｍｍ、（ｘｉｉｉ）２４０〜２６０ｍｍ、（ｘｉｖ）２６０〜２８０ｍｍ、（ｘｖ）２８０〜３００ｍｍ、（ｘｖｉ）＞３００ｍｍからなる群から選択される軸方向長さを有する、請求項７１〜８３のいずれかに記載の質量分析計。
【請求項８５】
前記イオン移動度分光計またはセパレータは、前記イオン移動度分光計またはセパレータ内に半径方向にイオンを閉じ込めるために、ＡＣまたはＲＦ電圧を前記イオン移動度分光計またはセパレータの複数の電極のうちの少なくとも５％、１０％、１５％、２０％、２５％、３０％、３５％、４０％、４５％、５０％、５５％、６０％、６５％、７０％、７５％、８０％、８５％、９０％、９５％または１００％に印加するように配置および適合させたＡＣまたはＲＦ電圧手段をさらに備える、請求項７１〜８４のいずれかに記載の質量分析計。
【請求項８６】
前記ＡＣまたはＲＦ電圧手段は、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、および（ｘｉ）＞５００Ｖピーク・トゥ・ピークからなる群から選択される振幅を有するＡＣまたはＲＦ電圧を、前記イオン移動度分光計またはセパレータの前記複数の電極に印加するように配置および適合される、請求項８５に記載の質量分析計。
【請求項８７】
前記ＡＣまたはＲＦ電圧手段は、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を、前記イオン移動度分光計またはセパレータの前記複数の電極に印加するように配置および適合される、請求項８５または８６に記載の質量分析計。
【請求項８８】
１〜１００、１００〜２００、２００〜３００、３００〜４００、４００〜５００、５００〜６００、６００〜７００、７００〜８００、８００〜９００または９００〜１０００の範囲の質量電荷比を有する１価イオンは、前記イオン移動度分光計またはセパレータを通るドリフト時間または通過時間が（ｉ）０〜１ｍｓ、（ｉｉ）１〜２ｍｓ、（ｉｉｉ）２〜３ｍｓ、（ｉｖ）３〜４ｍｓ、（ｖ）４〜５ｍｓ、（ｖｉ）５〜６ｍｓ、（ｖｉｉ）６〜７ｍｓ、（ｖｉｉｉ）７〜８ｍｓ、（ｉｘ）８〜９ｍｓ、（ｘ）９〜１０ｍｓ、（ｘｉ）１０〜１１ｍｓ、（ｘｉｉ）１１〜１２ｍｓ、（ｘｉｉｉ）１２〜１３ｍｓ、（ｘｉｖ）１３〜１４ｍｓ、（ｘｖ）１４〜１５ｍｓ、（ｘｖｉ）１５〜１６ｍｓ、（ｘｖｉｉ）１６〜１７ｍｓ、（ｘｖｉｉｉ）１７〜１８ｍｓ、（ｘｉｘ）１８〜１９ｍｓ、（ｘｘ）１９〜２０ｍｓ、（ｘｘｉ）２０〜２１ｍｓ、（ｘｘｉｉ）２１〜２２ｍｓ、（ｘｘｉｉｉ）２２〜２３ｍｓ、（ｘｘｉｖ）２３〜２４ｍｓ、（ｘｘｖ）２４〜２５ｍｓ、（ｘｘｖｉ）２５〜２６ｍｓ、（ｘｘｖｉｉ）２６〜２７ｍｓ、（ｘｘｖｉｉｉ）２７〜２８ｍｓ、（ｘｘｉｘ）２８〜２９ｍｓ、（ｘｘｘ）２９〜３０ｍｓ、および（ｘｘｘｉ）＞３０ｍｓの範囲内にある、請求項７１〜８７のいずれかに記載の質量分析計。
【請求項８９】
前記イオン移動度分光計またはセパレータの少なくとも一部を（ｉ）＞０．００１ｍｂａｒ、（ｉｉ）＞０．０１ｍｂａｒ、（ｉｉｉ）＞０．１ｍｂａｒ、（ｉｖ）＞１ｍｂａｒ、（ｖ）＞１０ｍｂａｒ、（ｖｉ）＞１００ｍｂａｒ、（ｖｉｉ）０．００１〜１００ｍｂａｒ、（ｖｉｉｉ）０．０１〜１０ｍｂａｒ、および（ｉｘ）０．１〜１ｍｂａｒからなる群から選択される圧力に維持するように配置および適合させた手段をさらに備える請求項７１〜８８のいずれかに記載の質量分析計。
【請求項９０】
第１のガスが前記イオン移動度分光計またはセパレータに導入され、前記第１のガスは、（ｉ）窒素、（ｉｉ）アルゴン、（ｉｉｉ）ヘリウム、（ｉｖ）メタン、（ｖ）ネオン、（ｖｉ）キセノン、および（ｖｉｉ）空気から選択されるか、またはそれらからなる群から選択されるガスを少なくとも部分的に含む、請求項７１〜８９のいずれかに記載の質量分析計。
【請求項９１】
前記イオン移動度分光計またはセパレータのためのハウジングをさらに備え、前記ハウジングは、イオン入射口開口、イオン出射口開口およびガスを前記ハウジング中へ導入するためのポートを除いて実質的に気密な封入体を形成する、請求項７１〜９０のいずれかに記載の質量分析計。
【請求項９２】
０〜５ｍｓ、５〜１０ｍｓ、１０〜１５ｍｓ、１５〜２０ｍｓ、２０〜２５ｍｓ、２５〜３０ｍｓ、３０〜３５ｍｓ、３５〜４０ｍｓ、４０〜４５ｍｓ、４５〜５０ｍｓまたは＞５０ｍｓ毎に１回、イオンが前記イオン移動度分光計またはセパレータにパルス入力される、請求項７１〜９１のいずれかに記載の質量分析計。
【請求項９３】
前記イオンガイドまたは質量フィルタデバイスの上流および／または下流に配置されるドリフト領域、ドリフト管または電界のない領域をさらに備える、請求項５４〜９２のいずれかに記載の質量分析計。
【請求項９４】
前記ドリフト領域は、イオンをその質量電荷比にしたがって時間的に分離するように配置および適合させた、請求項９３に記載の質量分析計。
【請求項９５】
前記イオンガイドまたは質量フィルタデバイスの上流および／または下流に配置されるイオントラップまたはイオントラップ領域をさらに備える請求項５４〜９４のいずれかに記載の質量分析計。
【請求項９６】
イオンは、動作モードにおいて前記イオントラップまたはイオントラップ領域から質量選択的におよび／または共振により排出されるように配置される請求項９５に記載の質量分析計。
【請求項９７】
イオンは、動作モードにおいて前記イオントラップまたはイオントラップ領域から非質量選択的におよび／または共振により排出されるように配置される請求項９５または９６に記載の質量分析計。
【請求項９８】
前記イオントラップは、（ｉ）四重極イオントラップ、（ｉｉ）２Ｄもしくは直線四重極イオントラップ、または（ｉｉｉ）ポールもしくは３Ｄ四重極イオントラップを備える、請求項９５、９６または９７に記載の質量分析計。
【請求項９９】
イオン源をさらに備える、請求項５４〜９８のいずれかに記載の質量分析計。
【請求項１００】
前記イオン源は、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコンを用いた脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、（ｘｖｉｉ）大気圧マトリックス支援レーザ脱離イオン化イオン源、および(ｘｖｉｉｉ）熱スプレーイオン源からなる群から選択される、請求項９９に記載の質量分析計。
【請求項１０１】
前記イオン源は、パルス化または連続イオン源を備える、請求項９９または１００に記載の質量分析計。
【請求項１０２】
質量分析器をさらに備える請求項９９、１００または１０１のいずれかに記載の質量分析計。
【請求項１０３】
前記質量分析器は、（ｉ）四重極質量分析器、（ｉｉ）２Ｄまたは直線四重極質量分析器、（ｉｉｉ）ポールまたは３Ｄ四重極質量分析器、（ｉｖ）ペニングトラップ質量分析器、（ｖ）イオントラップ質量分析器、（ｖｉ）扇形磁場質量分析器、（ｖｉｉ）イオンサイクロトロン共鳴（「ＩＣＲ」）質量分析器、（ｖｉｉｉ）フーリエ変換イオンサイクロトロン共鳴（「ＦＴＩＣＲ」）質量分析器、（ｉｘ）静電またはオービトラップ質量分析器、（ｘ）フーリエ変換静電またはオービトラップ質量分析器、および（ｘｉ）フーリエ変換質量分析器からなる群から選択される、請求項１０２に記載の質量分析計。
【請求項１０４】
複数の電極またはロッドを備えるイオンガイドまたは質量フィルタデバイスを準備するステップと、
ＡＣまたはＲＦ電圧を前記複数の電極またはロッドに印加するステップと、
前記イオンガイドまたは質量フィルタデバイス内またはそこから不要なイオンを共振により励起させるために前記複数の電極またはロッドに信号を供給するステップと
を含むイオンをガイドまたは質量フィルタリングする方法。
【請求項１０５】
複数の電極と、
Ｍ１の質量電荷比を有するイオンおよびＭ３の質量電荷比を有するイオンがイオンガイドによって同時に移送されるが、Ｍ２の質量電荷比を有するイオンが前記イオンガイドによって実質的に移送されないように１つ以上の電圧を前記複数の電極に印加する電圧手段であって、Ｍ１＜Ｍ２＜Ｍ３である電圧手段と
を備えるイオンガイド。
【請求項１０６】
複数の電極と、
Ｍ１、Ｍ３およびＭ５の質量電荷比を有するイオンがイオンガイドによって同時に移送されるが、Ｍ２およびＭ４の質量電荷比を有するイオンが前記イオンガイドによって実質的に移送されないように１つ以上の電圧を前記複数の電極に印加する電圧手段であって、Ｍ１＜Ｍ２＜Ｍ３＜Ｍ４＜Ｍ５である電圧手段と
を備えるイオンガイド。
【請求項１０７】
１つ以上の電極と、
第１の範囲内に質量電荷比を有するイオンをイオンガイド内に実質的に維持させ、第２の異なる範囲内に質量電荷比を有するイオンを実質的に前記イオンガイド内に維持させるが、前記第１および第２の範囲の中間の質量電荷比を有するイオンが前記イオンガイドから排出されるように配置および適合させた手段と
を備えるイオンガイド。
【請求項１０８】
複数の別々のまたは離散な非重複および同時質量電荷比移送ウィンドウを有するように配置および適合され、前記複数の質量電荷比移送ウィンドウ外の質量電荷比を有するイオンが前記イオンガイドによって実質的に減衰される、四重極ロッドセットイオンガイド。
【請求項１０９】
対象検体イオンを、イオンガイド内に軸方向に実質的にイオンをトラップすることなく、前方へ移送するように配置および適合され、前記イオンガイドによって前方へ移送させたくないイオンを共振により排出させるために、使用に際して広帯域周波数信号が前記イオンガイドに印加される、四重極ロッドセットイオンガイド。
【請求項１１０】
第１の質量電荷比移送ウィンドウおよび第２の異なる同時質量電荷比移送ウィンドウを有し、前記第１の質量電荷比移送ウィンドウが前記第２の質量電荷比移送ウィンドウに重複しない、四重極ロッドセットイオンガイド。
【請求項１１１】
前記四重極ロッドセットイオンガイドは、第３の異なる同時質量電荷比移送ウィンドウを備え、前記第１、第２および第３質量電荷比移送ウィンドウが互いに重複しない、請求項１１０に記載の四重極ロッドセットイオンガイド。
【請求項１１２】
前記四重極ロッドセットイオンガイドは、第４の異なる同時質量電荷比移送ウィンドウを備え、前記第１、第２、第３および第４の質量電荷比移送ウィンドウが互いに重複しない、請求項１１１に記載の四重極ロッドセットイオンガイド。
【請求項１１３】
四重極ロッドセットイオンガイドを準備するステップと、
広帯域周波数信号を生成するステップと、
１つ以上の周波数ノッチを有するノッチ広帯域周波数信号を提供するために前記広帯域周波数信号から周波数成分を除去するステップと、
１つ以上の周波数ノッチを有する前記ノッチ広帯域周波数信号を前記四重極ロッドセットイオンガイドに印加するステップと、
イオンのビームを前記四重極ロッドセットイオンガイドに渡し、前記イオンのビームのサブセットを、前記四重極ロッドセット内に軸方向にイオンを閉じ込めずに、前記四重極ロッドセットイオンガイドから現れさせるステップと
を含む質量分析の方法。
【発明の詳細な説明】
【技術分野】
【０００１】
本発明は、イオンガイドまたは質量フィルタデバイス、質量分析計、イオンをガイドまたは質量フィルタリングする方法、および質量分析の方法に関する。好適な実施形態は、四重極ロッドセットイオンガイドに関し、ここでノッチ広帯域周波数信号が四重極ロッドセットイオンガイドのロッドに印加される。ノッチ広帯域周波数信号は、好ましくは、好適なイオンガイドまたは質量フィルタデバイスによって前方へ送りたい対象の検体または他のイオンに実質的に影響を与えずに、イオンガイド中に存在する不要なバックグラウンドイオンを共振により励起し、半径方向に排出する。
【背景技術】
【０００２】
４つの平行なロッドを備える四重極ロッドセットは、イオンガイドとして、かつ質量フィルタまたは質量分析器として一般に使用される。また、四重極ロッドセットを直線イオントラップの一部として使用することは公知であり、前記直線イオントラップでは、イオンを四重極ロッドセット内に軸方向に閉じ込めるために更に軸方向トラップ電位が印加される。
【０００３】
４つの平行なロッドを備える四重極ロッドセットは、イオンガイドとして使用され、二位相ＲＦ信号または電圧をロッドに印加することによって、イオンを実質的に質量フィルタリングすることなく、イオンを送り得る。隣り合うロッドは、逆位相のＲＦ信号または電圧が印加されるように配置される。ＲＦ信号または電圧をロッドに印加することにより、イオンを四重極ロッドセット内に半径方向に閉じ込めるように作用する半径方向擬似電位井戸が生成される。４つのロッドは、同じＤＣ電位または電圧に維持される。四重極ロッドセットイオンガイドは、実用において、質量電荷比カットオフが本来若干低く、イオンガイドの移送効率は、質量電荷比が高くなるにつれ徐々に低減し得る。それにもかかわらず、少なくとも一次近似として、この公知の四重極ロッドセットイオンガイドは、広範囲の質量電荷比を有するイオンを実質的に同時に移送するように構成されると考えられ得る。
【０００４】
四重極ロッドセットは、質量フィルタまたは質量分析器としても動作され得る。この構成によると、ＲＦ信号または電圧は、四重極ロッドセットイオンガイドと同様にロッドに印加される。すなわち、隣り合うロッドに逆位相の二位相ＲＦ信号または電圧が印加される。しかし、すべてのロッドを同じＤＣ電圧または電位に維持する代わりに、隣り合うロッドに大きさが等しくかつ逆位相のＤＣ電圧が印加されるように電圧のＤＣ成分がロッドに印加される。ＲＦ電圧をロッドに印加し、隣り合うロッド間のＤＣ電位差を維持することによって、四重極ロッドセットは、明確に定義された上側および下側質量電荷比カットオフ内に質量電荷比があるイオンのみが質量フィルタによって移送されるような質量フィルタとして機能するように構成され得る。ＤＣ成分が０に設定されると、四重極ロッドセットは非分解モード動作におけるイオンガイドとして機能する。前記非分解モード動作において、受け取られるすべてのイオンが実質的に前方へ移送される。
【０００５】
質量フィルタの質量電荷比移送ウィンドウは、特定の質量電荷比を有する実質的に１種のイオンのみが四重極ロッドセット質量フィルタによって前方へ移送されるような程度に狭められ得る。すべての他のイオンは、質量フィルタによって実質的に減衰される。完全な質量スペクトルは、異なる質量電荷比を有するイオンを選択的に順次移送するようにＲＦおよびＤＣ信号を時間の関数としてスキャンすることによって得ることが可能となる。したがって、質量フィルタの質量電荷比移送ウィンドウは、漸進的に変化または増加され得る。この動作モードにおいて、四重極ロッドセットは、質量分析器として機能する。
【０００６】
四重極ロッドセットは、また直線四重極イオントラップの一部を形成し得る。この構成によると、上記のような四重極ロッドセットイオンガイドと同様にイオンを半径方向に閉じ込めるためにＲＦ信号または電圧がロッドに印加される。また、ロッドはすべて同じＤＣ電位または電圧に維持される。加えて、イオントラップ中に一旦注入されたイオンが軸方向に四重極ロッドセットイオントラップを出射することを防止するために、電位障壁が四重極ロッドセットの入射口および出射口において維持される。したがって、イオンは、四重極ロッドセットイオントラップ内に効果的にトラップされる。一旦イオンがイオントラップ内にトラップされると、所定のイオンをイオントラップから軸方向または半径方向のいずれかに質量選択的に排出するために、補助ＲＦ波形がイオントラップの電極に印加され得る。電極に印加される補助ＲＦ波形の周波数は、イオンをイオントラップから質量選択的に順次排出するためにスキャンされ得、それによって質量スペクトルが生成可能となる。閉じ込めＲＦ電界におけるイオン励起のための共振または第１高調波振動数ωrは、以下によって与えられる。
【０００７】
【数１】
2008521189.tif 000003
【０００８】
ここで、Ωは主閉じ込めＲＦ電圧の角周波数であり、βはマシュー安定性パラメータａおよびｑを介したイオンの質量電荷比に関連するパラメータである。
【０００９】
ここで、従来の四重極ロッドセット質量フィルタをさらに詳細に考察する。上記のように、ＲＦおよびＤＣ電圧成分の両方が従来の四重極ロッドセット質量フィルタに印加される。四重極ロッドセット質量フィルタは、比較的広い質量電荷比移送ウィンドウを有するように動作され得、したがって比較的低い分解能の質量フィルタとして動作し得る。あるいは、四重極ロッドセット質量フィルタは、比較的狭い質量電荷比移送ウィンドウを有するように動作され得、この場合、四重極ロッドセット質量フィルタは、比較的高い分解能の質量フィルタとして動作すると考えられ得る。
【００１０】
比較的低い分解能モードで質量フィルタを動作させることにより、単に四重極ロッドセットをイオンガイドとして非分解モードで動作させるよりも明らかに特異性が良くなる。しかし、質量フィルタは、比較的低い分解能モードで動作する場合、質量電荷比移送ウィンドウの上側および下側質量電荷比カットオフ値の間の連続な質量電荷比を有する複数のイオンを平行に移送する。
【００１１】
質量フィルタを比較的高い分解能モードで動作させることにより、より良い特異性が与えられるが、一度に質量フィルタによって移送され得る対象検体イオンが１種のみとなるという欠点がある。したがって、他種の対象検体イオンも存在するならば、総デューティサイクルが低減される。他種の検体イオンを分析するためには、異なる対象検体イオンを選択的に順次移送するために質量フィルタの質量電荷比移送ウィンドウをスキャンする必要がある。
【発明の開示】
【発明が解決しようとする課題】
【００１２】
改善されたイオンガイドまたは質量フィルタデバイスを提供することが望ましい。
【課題を解決するための手段】
【００１３】
本発明の第１の局面によると、
複数の電極またはロッドと、
ＡＣまたはＲＦ電圧を複数の電極またはロッドに印加するＡＣまたはＲＦ電圧源と、
イオンガイドまたは質量フィルタデバイス内またはそこから不要なイオンを共振により励起させるために複数の電極またはロッドに信号を供給するように配置および適合させた信号手段と
を備えるイオンガイドまたは質量フィルタデバイスが提供される。
【発明を実施するための最良の形態】
【００１４】
イオンがイオントラップ内に軸方向に閉じ込められる従来の２Ｄもしくは直線四重極ロッドセットイオントラップまたは従来の３Ｄ四重極イオントラップは、本発明でいうイオンガイドまたは質量フィルタデバイスを備えるとは考えられないことが理解されるべきである。また、従来の四重極ロッドセット質量フィルタは、質量フィルタ内でまたは質量フィルタから不要なイオンを共振により励起させていないと理解される。
【００１５】
イオンを好適なイオンガイドまたは質量フィルタデバイス内に閉じ込めるために複数の電極またはロッドに印加されるＡＣまたはＲＦ電圧は、第１のＡＣまたはＲＦ電圧を備えると考えられ得る。イオンガイドまたは質量フィルタデバイス内でまたはそこから不要なイオンを共振により励起させるために複数の電極またはロッドに印加される信号は、第２の異なるＡＣまたはＲＦ電圧を備えると考えられ得る。
【００１６】
信号手段は、好ましくは、イオンガイドまたは質量フィルタデバイスから不要なイオンを半径方向に排出するように配置および適合される。イオンガイドまたは質量フィルタデバイスは、好ましくは、イオンをイオンガイドまたは質量フィルタデバイス内に軸方向に実質的に閉じ込めることもトラップすることもなしにイオンを前方へ移送させるように配置および適合される。対象検体イオンは、好ましくは、イオンガイドまたは質量フィルタデバイス内に軸方向に実質的に閉じ込められることもトラップされることもなしにイオンガイドまたは質量フィルタデバイスによって前方へ移送されるが、検体対象でない他のイオンは、イオンガイドまたは質量フィルタデバイスによって実質的に減衰される。
【００１７】
イオンガイドまたは質量フィルタデバイスは、好ましくは、四重極イオンガイドまたは質量フィルタデバイスを備える。四重極イオンガイドまたは質量フィルタデバイスは、好ましくは、４つのロッドを備える四重極ロッドセットを備える。四重極ロッドセットの各ロッドは、好ましくは、長軸を有し、４つのロッドの各々の長軸は、好ましくは、互いに実質的平行である。また、ロッドは、好ましくは、互いに等距離である。イオンガイドまたは質量フィルタデバイスは、好ましくは、半径方向２次電位分布または半径方向直線電界を維持するように構成される。半径方向直線電界の方向は、半径方向電界が０になる時点があるように経時的に振動または回転する。
【００１８】
信号手段は、好ましくは、広帯域周波数信号を好適なイオンガイドまたは質量フィルタを備える複数の電極またはロッドに供給するように配置および適合される。信号手段は、好ましくは、（ｉ）＜１ｋＨｚ、（ｉｉ）１〜２ｋＨｚ、（ｉｉｉ）２〜３ｋＨｚ、（ｉｖ）３〜４ｋＨｚ、（ｖ）４〜５ｋＨｚ、（ｖｉ）５〜６ｋＨｚ、（ｖｉｉ）６〜７ｋＨｚ、（ｖｉｉｉ）７〜８ｋＨｚ、（ｉｘ）８〜９ｋＨｚ、（ｘ）９〜１０ｋＨｚ、（ｘｉ）１０〜１１ｋＨｚ、（ｘｉｉ）１１〜１２ｋＨｚ、（ｘｉｉｉ）１２〜１３ｋＨｚ、（ｘｉｖ）１３〜１４ｋＨｚ、（ｘｖ）１４〜１５ｋＨｚ、（ｘｖｉ）１５〜１６ｋＨｚ、（ｘｖｉｉ）１６〜１７ｋＨｚ、（ｘｖｉｉｉ）１７〜１８ｋＨｚ、（ｘｉｘ）１８〜１９ｋＨｚ、（ｘｘ）１９〜２０ｋＨｚ、（ｘｘｉ）２０〜２１ｋＨｚ、（ｘｘｉｉ）２１〜２２ｋＨｚ、（ｘｘｉｉｉ）２２〜２３ｋＨｚ、（ｘｘｉｖ）２３〜２４ｋＨｚ、（ｘｘｖ）２４〜２５ｋＨｚ、（ｘｘｖｉ）２５〜２６ｋＨｚ、（ｘｘｖｉｉ）２６〜２７ｋＨｚ、（ｘｘｖｉｉｉ）２７〜２８ｋＨｚ、（ｘｘｉｘ）２８〜２９ｋＨｚ、（ｘｘｘ）２９〜３０ｋＨｚ、および（ｘｘｘｉ）＞３０ｋＨｚの範囲うちの１つ以上から選択される１つ以上の周波数成分を有する信号を供給するように配置および適合される。
【００１９】
信号手段は、好ましくは、双極および／または四重極波形を有する信号を供給するように配置および適合される。信号手段は、好ましくは、イオンガイドまたは質量フィルタデバイスによって使用に際して受け取られた複数のイオンの永続、共振、第１または基本高調波振動数に好ましくは対応する複数の周波数成分を有する信号を提供するように配置および適合される。
【００２０】
信号手段は、好ましくは、１つ以上の周波数ノッチを有する信号を供給するように配置および適合される。信号は、好ましくは、少なくとも１、２、３、４、５、６、７、８、９、１０、１１、１２、１３、１４、１５、１６、１７、１８、１９または２０の周波数ノッチを備える。１つ以上の周波数ノッチは、好ましくは、好適なイオンガイドまたは質量フィルタデバイスによって前方へ移送されることが所望の１つ以上のイオンの永続、共振、第１または基本高調波振動数に好ましくは対応する。１つ以上の周波数ノッチは、好ましくは、少なくとも１、２、３、４、５、６、７、８、９、１０、１１、１２、１３、１４、１５、１６、１７、１８、１９または２０の異なる種の対象検体イオンの永続、共振、第１または基本高調波振動数に対応する。
【００２１】
信号手段は、好ましくは、対象検体イオンを共振により励起させ、および／または好適なイオンガイドまたは質量フィルタデバイスから半径方向に排出させることが実質的にない信号を複数の電極またはロッドに供給するように配置および適合される。上記好適な実施形態によると、１つ以上の周波数ノッチに対応する周波数において、イオンガイドまたは質量フィルタデバイス内のイオンは、好ましくは、実質的に共振により励起されない。好ましさのより低い実施形態によると、１つ以上の周波数ノッチに対応する周波数において、イオンガイドまたは質量フィルタデバイス内のイオンは、好ましくは、わずかに共振により励起されるがイオンがイオンガイドまたは質量フィルタデバイスから半径方向に排出されるのに十分には共振により励起されない。
【００２２】
信号手段は、好ましくは、Ｍ１およびＭ３の質量電荷比を有するイオンが好適なイオンガイドまたは質量フィルタデバイスによって同時に前方へ移送され、およびＭ２の質量電荷比を有するイオンが好適なイオンガイドもしくは質量フィルタデバイスによって実質的に減衰されるか、または好適なイオンガイドもしくは質量フィルタデバイスから実質的に共振により排出されるように配置および適合される。ここで、Ｍ１＜Ｍ２＜Ｍ３である。
【００２３】
信号手段は、好ましくは、Ｍ１、Ｍ３およびＭ５の質量電荷比を有するイオンが好適なイオンガイドまたは質量フィルタデバイスによって同時に前方へ移送され、およびＭ２およびＭ４の質量電荷比を有するイオンが好適なイオンガイドもしくは質量フィルタデバイスによって実質的に減衰されるか、または好適なイオンガイドもしくは質量フィルタデバイスから実質的に共振により排出されるように配置および適合される。ここで、Ｍ１＜Ｍ２＜Ｍ３＜Ｍ４＜Ｍ５である。
【００２４】
信号手段は、好ましくは、Ｍ１、Ｍ３、Ｍ５およびＭ７の質量電荷比を有するイオンが好適なイオンガイドまたは質量フィルタデバイスによって同時に前方へ移送され、およびＭ２、Ｍ４およびＭ６の質量電荷比を有するイオンが好適なイオンガイドもしくは質量フィルタデバイスによって実質的に減衰されるか、または好適なイオンガイドもしくは質量フィルタデバイスから実質的に共振により排出されるように配置および適合される。ここで、Ｍ１＜Ｍ２＜Ｍ３＜Ｍ４＜Ｍ５＜Ｍ６＜Ｍ７である。
【００２５】
信号手段は、好ましくは、Ｍ１、Ｍ３、Ｍ５、Ｍ７およびＭ９の質量電荷比を有するイオンが好適なイオンガイドまたは質量フィルタデバイスによって同時に前方へ移送され、およびＭ２、Ｍ４、Ｍ６およびＭ８の質量電荷比を有するイオンが好適なイオンガイドもしくは質量フィルタデバイスによって実質的に減衰されるか、または好適なイオンガイドもしくは質量フィルタデバイスから実質的に共振により排出されるように配置および適合される。ここで、Ｍ１＜Ｍ２＜Ｍ３＜Ｍ４＜Ｍ５＜Ｍ６＜Ｍ７＜Ｍ８＜Ｍ９である。
【００２６】
信号手段は、好ましくは、質量電荷比移送ウィンドウ内に質量電荷比を有するイオンが好適なイオンガイドまたは質量フィルタデバイスによって前方へ移送されるように、前記好適なイオンガイドまたは質量フィルタデバイスが１つもしくは複数の離散なまたは別々の同時質量電荷比移送ウィンドウを有するように配置および適合される。信号手段は、好ましくは、質量電荷比移送ウィンドウ外に質量電荷比を有するイオンが好適なイオンガイドもしくは質量フィルタデバイスによって実質的に減衰されるか、および／または実質的にそこから共振により排出されるように、前記イオンガイドまたは質量フィルタデバイスが１つもしくは複数の離散なまたは別々の同時質量電荷比移送ウィンドウを有するように配置および適合される。
【００２７】
信号手段は、好ましくは、イオンガイドまたは質量フィルタデバイスが少なくとも１、２、３、４、５、６、７、８、９、１０、１１、１２、１３、１４、１５、１６、１７、１８、１９または２０の離散なまたは別々の同時質量電荷比移送ウィンドウを有するように配置および適合される。離散なまたは別々の同時質量電荷比移送ウィンドウは、好ましくは、実質的に重複しないか、および／または連続しない。２つの隣り合う質量電荷比移送ウィンドウ間の中間に質量電荷比を有するイオンは、好ましくは実質的に減衰されるか、および／または好適なイオンガイドまたは質量フィルタデバイスから共振により排出される。
【００２８】
一実施形態によると、１つ以上の質量電荷比移送ウィンドウの中心もしくは中央および／または幅は、好ましくは、経時的に、または（ｉ）０〜１ｍｓ、（ｉｉ）１〜２ｍｓ、（ｉｉｉ）２〜３ｍｓ、（ｉｖ）３〜４ｍｓ、（ｖ）４〜５ｍｓ、（ｖｉ）５〜６ｍｓ、（ｖｉｉ）６〜７ｍｓ、（ｖｉｉｉ）７〜８ｍｓ、（ｉｘ）８〜９ｍｓ、（ｘ）９〜１０ｍｓ、（ｘｉ）１０〜１１ｍｓ、（ｘｉｉ）１１〜１２ｍｓ、（ｘｉｉｉ）１２〜１３ｍｓ、（ｘｉｖ）１３〜１４ｍｓ、（ｘｖ）１４〜１５ｍｓ、（ｘｖｉ）１５〜１６ｍｓ、（ｘｖｉｉ）１６〜１７ｍｓ、（ｘｖｉｉｉ）１７〜１８ｍｓ、（ｘｉｘ）１８〜１９ｍｓ、（ｘｘ）１９〜２０ｍｓ、（ｘｘｉ）２０〜２１ｍｓ、（ｘｘｉｉ）２１〜２２ｍｓ、（ｘｘｉｉｉ）２２〜２３ｍｓ、（ｘｘｉｖ）２３〜２４ｍｓ、（ｘｘｖ）２４〜２５ｍｓ、（ｘｘｖｉ）２５〜２６ｍｓ、（ｘｘｖｉｉ）２６〜２７ｍｓ、（ｘｘｖｉｉｉ）２７〜２８ｍｓ、（ｘｘｉｘ）２８〜２９ｍｓ、（ｘｘｘ）２９〜３０ｍｓ、および（ｘｘｘｉ）＞３０ｍｓからなる群から選択される期間にわたり実質的に一定のままである。
【００２９】
別の実施形態によると、１つ以上の質量電荷比移送ウィンドウの中心もしくは中央および／または幅は、好ましくは、経時的に、または（ｉ）０〜１ｍｓ、（ｉｉ）１〜２ｍｓ、（ｉｉｉ）２〜３ｍｓ、（ｉｖ）３〜４ｍｓ、（ｖ）４〜５ｍｓ、（ｖｉ）５〜６ｍｓ、（ｖｉｉ）６〜７ｍｓ、（ｖｉｉｉ）７〜８ｍｓ、（ｉｘ）８〜９ｍｓ、（ｘ）９〜１０ｍｓ、（ｘｉ）１０〜１１ｍｓ、（ｘｉｉ）１１〜１２ｍｓ、（ｘｉｉｉ）１２〜１３ｍｓ、（ｘｉｖ）１３〜１４ｍｓ、（ｘｖ）１４〜１５ｍｓ、（ｘｖｉ）１５〜１６ｍｓ、（ｘｖｉｉ）１６〜１７ｍｓ、（ｘｖｉｉｉ）１７〜１８ｍｓ、（ｘｉｘ）１８〜１９ｍｓ、（ｘｘ）１９〜２０ｍｓ、（ｘｘｉ）２０〜２１ｍｓ、（ｘｘｉｉ）２１〜２２ｍｓ、（ｘｘｉｉｉ）２２〜２３ｍｓ、（ｘｘｉｖ）２３〜２４ｍｓ、（ｘｘｖ）２４〜２５ｍｓ、（ｘｘｖｉ）２５〜２６ｍｓ、（ｘｘｖｉｉ）２６〜２７ｍｓ、（ｘｘｖｉｉｉ）２７〜２８ｍｓ、（ｘｘｉｘ）２８〜２９ｍｓ、（ｘｘｘ）２９〜３０ｍｓ、および（ｘｘｘｉ）＞３０ｍｓからなる群から選択される期間にわたり好ましくは実質的に変動および／または増加および／または低減する。１つ以上の質量電荷比移送ウィンドウの中心および／または幅は、実質的に漸進的、非漸進的、直線的、非直線的、２次的、滑らか、段階的、規則的、ランダム、または準ランダムに変動し得る。
【００３０】
一実施形態によると、信号手段は、好ましくは、信号を好適なイオンガイドまたは質量フィルタデバイスの対向するかまたは隣り合わない電極またはロッドに印加するように配置および適合される。
【００３１】
イオンガイドまたは質量フィルタデバイスは、好ましくは、イオン入射口領域およびイオン出射口領域を有し、動作モードにおいて、イオン入射口領域において好適なイオンガイドまたは質量フィルタデバイスによって受け取られたイオンのｘ％は、好ましくは、イオン出射口領域に移送され、ここでｘは、（ｉ）＜１、（ｉｉ）１〜５、（ｉｉｉ）５〜１０、（ｉｖ）１０〜１５、（ｖ）１５〜２０、（ｖｉ）２０〜２５、（ｖｉｉ）２５〜３０、（ｖｉｉｉ）３０〜３５、（ｉｘ）３５〜４０、（ｘ）４０〜４５、（ｘｉ）４５〜５０、（ｘｉｉ）５０〜５５、（ｘｉｉｉ）５５〜６０、（ｘｉｖ）６０〜６５、（ｘｖ）６５〜７０、（ｘｖｉ）７０〜７５、（ｘｖｉｉ）７５〜８０、（ｘｖｉｉｉ）８０〜８５、（ｘｉｘ）８５〜９０、（ｘｘ）９０〜９５、（ｘｘｉ）９５〜９９．９９、および（ｘｘｉｉ）＜１００からなる群から選択される。
【００３２】
イオンガイドまたは質量フィルタデバイスは、好ましくは、イオン入射口領域およびイオン出射口領域を有し、動作モードにおいて、イオン入射口領域において好適なイオンガイドまたは質量フィルタデバイスによって受け取られたイオンのｙ％は、好ましくはイオン出射口領域に到達する前に減衰されるか、および／または好適なイオンガイドまたは質量フィルタデバイスから半径方向に排出され、ここで、ｙは、（ｉ）＜１、（ｉｉ）１〜５、（ｉｉｉ）５〜１０、（ｉｖ）１０〜１５、（ｖ）１５〜２０、（ｖｉ）２０〜２５、（ｖｉｉ）２５〜３０、（ｖｉｉｉ）３０〜３５、（ｉｘ）３５〜４０、（ｘ）４０〜４５、（ｘｉ）４５〜５０、（ｘｉｉ）５０〜５５、（ｘｉｉｉ）５５〜６０、（ｘｉｖ）６０〜６５、（ｘｖ）６５〜７０、（ｘｖｉ）７０〜７５、（ｘｖｉｉ）７５〜８０、（ｘｖｉｉｉ）８０〜８５、（ｘｉｘ）８５〜９０、（ｘｘ）９０〜９５、（ｘｘｉ）９５〜９９．９９、および（ｘｘｉｉ）＜１００からなる群から選択される。
【００３３】
イオンガイドまたは質量フィルタデバイスは、好ましくは、非連続な範囲の質量電荷比を有する複数の異なる所望のイオンを同時に移送するように配置および適合される。
【００３４】
ＡＣまたはＲＦ電圧源は、好ましくは、二位相源を備え、逆位相のＡＣまたはＲＦ電圧は、好適なイオンガイドまたは質量フィルタデバイスの隣り合う電極またはロッドに印加されるように構成される。ＡＣまたはＲＦ電圧源は、好ましくは、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、（ｘｉ）５００〜１０００Ｖピーク・トゥ・ピーク、（ｘｉｉ）１〜２ｋＶピーク・トゥ・ピーク、（ｘｉｉｉ）２〜３ｋＶピーク・トゥ・ピーク、（ｘｉｖ）３〜４ｋＶピーク・トゥ・ピーク、（ｘｖ）４〜５ｋＶピーク・トゥ・ピーク、（ｘｖｉ）５〜６ｋＶピーク・トゥ・ピーク、（ｘｖｉｉ）６〜７ｋＶピーク・トゥ・ピーク、（ｘｖｉｉｉ）７〜８ｋＶピーク・トゥ・ピーク、（ｘｉｘ）８〜９ｋＶピーク・トゥ・ピーク、（ｘｘ）９〜１０ｋＶピーク・トゥ・ピーク、および（ｘｘｉ）＞１０ｋＶピーク・トゥ・ピークからなる群から選択される振幅を有するＡＣまたはＲＦ電圧を、複数の電極またはロッドに印加するように配置および適合される。
【００３５】
ＡＣまたはＲＦ電圧源は、好ましくは、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を、複数の電極またはロッドに印加するように配置および適合される。
【００３６】
一実施形態によると、第１動作モードにおいて、実質的にすべての電極またはロッドは、実質的に同じＤＣ電位または電圧に維持される。この実施形態によると、イオンガイドまたは質量フィルタデバイスは、好ましくは、実質的に非分解またはイオンガイド動作モードで動作される。
【００３７】
一実施形態によると、第２動作モードにおいて、隣り合う電極またはロッドは、好ましくは、実質的に異なるＤＣ電位または電圧に維持される。この実施形態によると、好ましくは、隣り合う電極またはロッド間でＤＣ電位または電圧差が維持され、ここで、好ましくは、ＤＣ電位または電圧差は、（ｉ）＜１Ｖ、（ｉｉ）１〜２Ｖ、（ｉｉｉ）２〜３Ｖ、（ｉｖ）３〜４Ｖ、（ｖ）４〜５Ｖ、（ｖｉ）５〜６Ｖ、（ｖｉｉ）６〜７Ｖ、（ｖｉｉｉ）７〜８Ｖ、（ｉｘ）８〜９Ｖ、（ｘ）９〜１０Ｖ、（ｘｉ）１０〜２０Ｖ、（ｘｉｉ）２０〜３０Ｖ、（ｘｉｉｉ）３０〜４０Ｖ、（ｘｉｖ）４０〜５０Ｖ、（ｘｖ）５０〜６０Ｖ、（ｘｖｉ）６０〜７０Ｖ、（ｘｖｉｉ）７０〜８０Ｖ、（ｘｖｉｉｉ）８０〜９０Ｖ、（ｘｉｘ）９０〜１００Ｖ、および（ｘｘ）＞１００Ｖからなる群から選択される。
【００３８】
第２動作モードにおいて、対向し合う電極またはロッドは、好ましくは、実質的に同じＤＣ電位または電圧に維持される。
【００３９】
一実施形態によると、動作モードにおいて、イオンガイドまたは質量フィルタデバイスは、分解または質量フィルタリング動作モードで動作され得る。一実施形態によると、動作モードにおいて、イオンガイドまたは質量フィルタデバイスは、１つ以上の質量電荷比移送ウィンドウを有し得、１つ以上の質量電荷比移送ウィンドウは、ｚ質量単位の幅を有し、ここでｚは、（ｉ）＜１、（ｉｉ）１〜２、（ｉｉｉ）２〜３、（ｉｖ）３〜４、（ｖ）４〜５、（ｖｉ）５〜６、（ｖｉｉ）６〜７、（ｖｉｉｉ）７〜８、（ｉｘ）８〜９、（ｘ）９〜１０、（ｘｉ）１０〜１５、（ｘｉｉ）１５〜２０、（ｘｉｉｉ）２０〜２５、（ｘｉｖ）２５〜３０、（ｘｖ）３０〜３５、（ｘｖｉ）３５〜４０、（ｘｖｉｉ）４０〜４５、（ｘｖｉｉｉ）４５〜５０、（ｘｉｘ）５０〜６０、（ｘｘ）６０〜７０、（ｘｘｉ）７０〜８０、（ｘｘｉｉ）８０〜９０、（ｘｘｉｉｉ）９０〜１００、（ｘｘｉｖ）１００〜１２０、（ｘｘｖ）１２０〜１４０、（ｘｘｖｉ）１４０〜１６０、（ｘｘｖｉｉ）１６０〜１８０、（ｘｘｖｉｉｉ）１８０〜２００、（ｘｘｉｘ）２００〜２５０、（ｘｘｘ）２５０〜３００、（ｘｘｘｉ）３００〜３５０、（ｘｘｘｉｉ）３５０〜４００、（ｘｘｘｉｉｉ）４００〜４５０、（ｘｘｘｉｖ）４５０〜５００、および（ｘｘｘｖ）＞５００からなる群から選択される範囲内にある。
【００４０】
動作モードにおいて、好ましくは、ＤＣおよび／またはＡＣもしくはＲＦ電圧の組み合わせは、好適なイオンガイドまたは質量フィルタデバイスが低域通過質量フィルタとして動作するように構成されるように複数の電極またはロッドに印加される。
【００４１】
一実施形態によると、イオンガイドまたは質量フィルタデバイスが低域通過質量フィルタとして動作するように構成される場合に、高い質量電荷比カットオフ値よりも大きな質量電荷比を有するイオンが好適なイオンガイドまたは質量フィルタデバイスによって実質的に減衰され、ここで高い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択されるのが好ましい。
【００４２】
動作モードにおいて、好ましくは、ＤＣおよび／またはＡＣもしくはＲＦ電圧の組み合わせは、好適なイオンガイドまたは質量フィルタデバイスが帯域通過質量フィルタとして動作するように構成されるように複数の電極またはロッドに印加される。
【００４３】
イオンガイドまたは質量フィルタデバイスが帯域通過質量フィルタとして動作するように構成される場合に、好ましくは、高い質量電荷比カットオフ値よりも大きな質量電荷比を有するイオンがイオンガイドまたは質量フィルタデバイスによって実質的に減衰され、ここで、好ましくは、高い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される。イオンガイドまたは質量フィルタデバイスが帯域通過質量フィルタとして動作するように構成される場合に、好ましくは、低い質量電荷比カットオフ値よりも低い質量電荷比を有するイオンがイオンガイドまたは質量フィルタデバイスによって実質的に減衰され、ここで、好ましくは、低い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される。
【００４４】
一実施形態によると、動作モードにおいて、好ましくは、ＤＣおよび／またはＡＣもしくはＲＦ電圧の組み合わせは、イオンガイドまたは質量フィルタデバイスが高域通過質量フィルタとして動作するように構成されるように複数の電極またはロッドに印加される。イオンガイドまたは質量フィルタデバイスが高域通過質量フィルタとして動作するように構成される場合に、好ましくは、低い質量電荷比カットオフ値よりも低い質量電荷比を有するイオンがイオンガイドまたは質量フィルタデバイスによって実質的に減衰され、ここで、好ましくは、低い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される。
【００４５】
一実施形態によると、動作モードにおいて、イオンガイドまたは質量フィルタデバイスは、（ｉ）＜１０-3ｍｂａｒ、（ｉｉ）＜１０-4ｍｂａｒ、（ｉｉｉ）＜１０-5ｍｂａｒ、（ｉｖ）＜１０-6ｍｂａｒ、（ｖ）＜１０-7ｍｂａｒ、（ｖｉ）１０-3〜１０-4ｍｂａｒ、（ｖｉｉ）１０-4〜１０-5ｍｂａｒ、および（ｖｉｉｉ）＞１０-3ｍｂａｒの圧力に維持され得る。好適なイオンガイドまたは質量フィルタデバイスは、好ましくは、好適なイオンガイドまたは質量フィルタデバイスが質量または質量電荷比分解モード、すなわち、質量フィルタとして動作されている場合に、そのような圧力（すなわち、＜１０-3ｍｂａｒ）で動作される。
【００４６】
一実施形態において、動作モードにおいて、イオンガイドまたは質量フィルタデバイスは、（ｉ）＞１００ｍｂａｒ、（ｉｉ）＜１００ｍｂａｒ、（ｉｉｉ）＜１０ｍｂａｒ、（ｉｖ）＜１ｍｂａｒ、（ｖ）＜１０-1ｍｂａｒ、（ｖｉ）＜１０-2ｍｂａｒ、（ｖｉｉ）＜１０-3ｍｂａｒ、（ｖｉｉｉ）＜１０-4ｍｂａｒ、（ｉｘ）＜１０-5ｍｂａｒ、（ｘ）＜１０-6ｍｂａｒ、（ｘｉ）＜１０-7ｍｂａｒ、（ｘｉｉ）１０〜１００ｍｂａｒ、（ｘｉｉｉ）１〜１０ｍｂａｒ、（ｘｉｖ）０．１〜１ｍｂａｒ、（ｘｖ）１０-2〜１０-1ｍｂａｒ、（ｘｖｉ）１０-3〜１０-2ｍｂａｒ、（ｘｖｉｉ）１０-4〜１０-3ｍｂａｒ、および（ｘｖｉｉｉ）１０-5〜１０-4ｍｂａｒの圧力に維持され得る。好適なイオンガイドまたは質量フィルタデバイスがイオンをその質量または質量電荷比にしたがってフィルタリングせずに非分解モード、すなわちイオンガイドとして動作されている場合、好適なイオンガイドまたは質量フィルタデバイスは、比較的高い圧力（すなわち、１００ｍｂａｒまで）で動作され得る。
【００４７】
本発明の別の局面によると、上記のようなイオンガイドまたは質量フィルタデバイスを備える質量分析計が提供される。
【００４８】
質量分析計は、好ましくは、好適なイオンガイドまたは質量フィルタデバイスの上流および／または下流に配置される衝突、フラグメンテーションまたは反応デバイスをさらに備える。衝突、フラグメンテーションまたは反応デバイスは、好ましくは、（ｉ）多重極ロッドセットもしくは分割多重極ロッドセット、（ｉｉ）イオントンネルもしくはイオンファネル、または(ｉｉｉ）積層もしくは配列された平面状、板状、もしくは網状の電極を備える。
【００４９】
多重極ロッドセットは、好ましくは、四重極ロッドセット、六重極ロッドセット、八重極ロッドセット、または８つより多くのロッドを備えるロッドセットを備える。
【００５０】
イオントンネルまたはイオンファネルは、使用に際してイオンが移送される開口を有する複数の電極または少なくとも２、５、１０、２０、３０、４０、５０、６０、７０、８０、９０もしくは１００の電極を好ましくは備え、電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、実質的に同じサイズもしくは面積を有するか、またはサイズもしくは面積が漸進的に大きくなるかおよび／もしくは小さくなる開口を有するのが好ましい。電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または寸法を有するのが好ましい。
【００５１】
積層または配列された平面状、板状、または網状の電極は、好ましくは、複数または少なくとも２、３、４、５、６、７、８、９、１０、１１、１２、１３、１４、１５、１６、１７、１８、１９もしくは２０の平面状、板状、または網状の電極を備え、ここで平面状、板状、または網状の電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、好ましくは、使用に際してイオンが走行する平面に概ね配置される。好ましくは、複数の平面状、板状、または網状の電極にＡＣまたはＲＦ電圧を印加するＡＣまたはＲＦ電圧手段がさらに提供され、隣り合う平面状、板状、または網状の電極には、好ましくは、逆位相のＡＣまたはＲＦ電圧が印加される。
【００５２】
一実施形態によると、衝突、フラグメンテーションまたは反応デバイスは、好ましくは、複数の軸方向セグメントまたは少なくとも５、１０、１５、２０、２５、３０、３５、４０、４５、５０、５５、６０、６５、７０、７５、８０、８５、９０、９５もしくは１００の軸方向セグメントを備える。
【００５３】
質量分析計は、好ましくは、衝突、フラグメンテーションまたは反応デバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って実質的に一定のＤＣ電圧勾配を維持するＤＣ電圧手段をさらに備える。
【００５４】
質量分析計は、好ましくは、少なくともいくつかのイオンを衝突、フラグメンテーションまたは反応デバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、１つ以上の過渡ＤＣ電圧もしくは電位または１つ以上の過渡ＤＣ電圧もしくは電位波形を衝突、フラグメンテーションまたは反応デバイスを形成する電極に印加するように配置および適合される過渡ＤＣ電圧手段をさらに備える。
【００５５】
質量分析計は、好ましくは、少なくともいくつかのイオンを衝突、フラグメンテーションまたは反応デバイスの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、２つ以上の位相シフトＡＣまたはＲＦ電圧を衝突、フラグメンテーションまたは反応デバイスを形成する電極に印加するように配置および適合されるＡＣまたはＲＦ電圧手段をさらに備える。
【００５６】
衝突、フラグメンテーションまたは反応デバイスは、好ましくは、前記衝突、フラグメンテーションまたは反応デバイス内に半径方向にイオンを閉じ込めるために、ＡＣまたはＲＦ電圧を衝突、フラグメンテーションまたは反応デバイスの複数の電極のうちの少なくとも５％、１０％、１５％、２０％、２５％、３０％、３５％、４０％、４５％、５０％、５５％、６０％、６５％、７０％、７５％、８０％、８５％、９０％、９５％または１００％に印加するように配置および適合されるＡＣまたはＲＦ電圧手段をさらに備える。ＡＣまたはＲＦ電圧手段は、好ましくは、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、および（ｘｉ）＞５００Ｖピーク・トゥ・ピークからなる群から選択される振幅を有するＡＣまたはＲＦ電圧を、衝突、フラグメンテーションまたは反応デバイスの複数の電極に印加するように配置および適合される。ＡＣまたはＲＦ電圧手段は、好ましくは、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を、衝突、フラグメンテーションまたは反応デバイスの複数の電極に印加するように配置および適合される。
【００５７】
上記好適な実施形態によると、衝突、フラグメンテーションまたは反応セルまたはデバイスは、好ましくは、衝突誘起解離（「ＣＩＤ」）によってイオンをフラグメンテーションするように構成される。
【００５８】
別の実施形態によると、質量分析計は、（ｉ）表面誘起解離（「ＳＩＤ」）フラグメンテーションデバイス、（ｉｉ）電子移動解離フラグメンテーションデバイス、（ｉｉｉ）電子捕獲解離フラグメンテーションデバイス、（ｉｖ）電子衝突または衝撃解離フラグメンテーションデバイス、（ｖ）光誘起解離（「ＰＩＤ」）フラグメンテーションデバイス、（ｖｉ）レーザ誘起解離フラグメンテーションデバイス、（ｖｉｉ）赤外放射誘起解離デバイス、（ｖｉｉｉ）紫外放射誘起解離デバイス、（ｉｘ）ノズル−スキマ間インターフェースフラグメンテーションデバイス、（ｘ）イオン源フラグメンテーションデバイス、（ｘｉ）イオン源衝突誘起解離フラグメンテーションデバイス、（ｘｉｉ）熱または温度源フラグメンテーションデバイス、（ｘｉｉｉ）電界誘起フラグメンテーションデバイス、（ｘｉｖ）磁場誘起フラグメンテーションデバイス、（ｘｖ）酵素消化または酵素分解フラグメンテーションデバイス、（ｘｖｉ）イオン−イオン反応フラグメンテーションデバイス、（ｘｖｉｉ）イオン−分子反応フラグメンテーションデバイス、（ｘｖｉｉｉ）イオン−原子反応フラグメンテーションデバイス、（ｘｉｘ）イオン−準安定イオン反応フラグメンテーションデバイス、（ｘｘ）イオン−準安定分子反応フラグメンテーションデバイス、（ｘｘｉ）イオン−準安定原子反応フラグメンテーションデバイス、（ｘｘｉｉ）イオンを反応させて付加物または生成物イオンを形成するためのイオン−イオン反応デバイス、（ｘｘｉｉｉ）イオンを反応させて付加物または生成物イオンを形成するためのイオン−分子反応デバイス、（ｘｘｉｖ）イオンを反応させて付加物または生成物イオンを形成するためのイオン−原子反応デバイス、（ｘｘｖ）イオンを反応させて付加物または生成物イオンを形成するためのイオン−準安定イオン反応デバイス、（ｘｘｖｉ）イオンを反応させて付加物または生成物イオンを形成するためのイオン−準安定分子反応デバイス、および（ｘｘｖｉｉ）イオンを反応させて付加物または生成物イオンを形成するためのイオン−準安定原子反応デバイスからなる群から選択される衝突、フラグメンテーションまたは反応デバイスをさらに備える。
【００５９】
一実施形態によると、質量分析計は、好適なイオンガイドまたは質量フィルタデバイスの上流および／または下流に配置されるイオン移動度分光計またはセパレータをさらに備える。イオン移動度分光計またはセパレータは、好ましくは、気相電気泳動デバイスを備える。
【００６０】
一実施形態によると、イオン移動度分光計またはセパレータは、（ｉ）ドリフト管、（ｉｉ）多重極ロッドセットもしくは分割多重極ロッドセット、(ｉｉｉ）イオントンネルもしくはイオンファネル、または(ｉｖ）積層もしくは配列された平面状、板状、もしくは網状の電極を備える。
【００６１】
ドリフト管は、好ましくは、１つ以上の電極、およびドリフト管の軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って軸方向ＤＣ電圧勾配または実質的に一定もしくは直線の軸方向ＤＣ電圧勾配を維持する手段を備える。
【００６２】
多重極ロッドセットは、好ましくは、四重極ロッドセット、六重極ロッドセット、八重極ロッドセット、または８つより多くのロッドを備えるロッドセットを備える。
【００６３】
イオントンネルまたはイオンファネルは、使用に際してイオンが移送される開口を有する複数の電極または少なくとも２、５、１０、２０、３０、４０、５０、６０、７０、８０、９０もしくは１００の電極を備え、電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、実質的に同じサイズもしくは面積を有するか、またはサイズもしくは面積が漸進的に大きくなるかおよび／もしくは小さくなる開口を有する。電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、好ましくは、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または寸法を有する。
【００６４】
積層または配列された平面状、板状、または網状の電極は、好ましくは、使用に際してイオンが走行する平面に概ね配置される、複数または少なくとも２、３、４、５、６、７、８、９、１０、１１、１２、１３、１４、１５、１６、１７、１８、１９もしくは２０の平面状、板状、または網状の電極を備える。平面状、板状、または網状の電極の少なくともいくつかまたは少なくとも５％、１０％、１５％、２０％、２５％、３０％、３５％、４０％、４５％、５０％、５５％、６０％、６５％、７０％、７５％、８０％、８５％、９０％、９５％もしくは１００％には、好ましくは、ＡＣまたはＲＦ電圧が印加され、隣り合う平面状、板状、または網状の電極には、逆位相のＡＣまたはＲＦ電圧が印加される。
【００６５】
上記好適な実施形態によると、イオン移動度分光計またはセパレータは、好ましくは、複数の軸方向セグメントまたは少なくとも５、１０、１５、２０、２５、３０、３５、４０、４５、５０、５５、６０、６５、７０、７５、８０、８５、９０、９５もしくは１００の軸方向セグメントを備える。
【００６６】
質量分析計は、好ましくは、少なくともいくつかのイオンをイオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、イオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って実質的に一定のＤＣ電圧勾配を維持するＤＣ電圧手段をさらに備える。
【００６７】
質量分析計は、好ましくは、少なくともいくつかのイオンをイオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、１つ以上の過渡ＤＣ電圧もしくは電位または１つ以上の過渡ＤＣ電圧もしくは電位波形をイオン移動度分光計またはセパレータを形成する電極に印加するように配置および適合させた過渡ＤＣ電圧手段をさらに備える。
【００６８】
質量分析計は、好ましくは、少なくともいくつかのイオンをイオン移動度分光計またはセパレータの軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って駆動するために、２つ以上の位相シフトＡＣまたはＲＦ電圧をイオン移動度分光計またはセパレータを形成する電極に印加するように配置および適合させたＡＣまたはＲＦ電圧手段をさらに備える。
【００６９】
イオン移動度分光計またはセパレータは、（ｉ）＜２０ｍｍ、（ｉｉ）２０〜４０ｍｍ、（ｉｉｉ）４０〜６０ｍｍ、（ｉｖ）６０〜８０ｍｍ、（ｖ）８０〜１００ｍｍ、（ｖｉ）１００〜１２０ｍｍ、（ｖｉｉ）１２０〜１４０ｍｍ、（ｖｉｉｉ）１４０〜１６０ｍｍ、（ｉｘ）１６０〜１８０ｍｍ、（ｘ）１８０〜２００ｍｍ、（ｘｉ）２００〜２２０ｍｍ、（ｘｉｉ）２２０〜２４０ｍｍ、（ｘｉｉｉ）２４０〜２６０ｍｍ、（ｘｉｖ）２６０〜２８０ｍｍ、（ｘｖ）２８０〜３００ｍｍ、（ｘｖｉ）＞３００ｍｍからなる群から選択される軸方向長さを有するのが好ましい。
【００７０】
イオン移動度分光計またはセパレータは、好ましくは、イオンをイオン移動度分光計またはセパレータ内に半径方向に閉じ込めるために、ＡＣまたはＲＦ電圧をイオン移動度分光計またはセパレータの複数の電極のうちの少なくとも５％、１０％、１５％、２０％、２５％、３０％、３５％、４０％、４５％、５０％、５５％、６０％、６５％、７０％、７５％、８０％、８５％、９０％、９５％または１００％に印加するように配置および適合させたＡＣまたはＲＦ電圧手段をさらに備える。ＡＣまたはＲＦ電圧手段は、好ましくは、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、および（ｘｉ）＞５００Ｖピーク・トゥ・ピークからなる群から選択される振幅を有するＡＣまたはＲＦ電圧を、イオン移動度分光計またはセパレータの複数の電極に印加するように配置および適合される。ＡＣまたはＲＦ電圧手段は、好ましくは、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を、イオン移動度分光計またはセパレータの複数の電極に印加するように配置および適合される。
【００７１】
一実施形態によると、１〜１００、１００〜２００、２００〜３００、３００〜４００、４００〜５００、５００〜６００、６００〜７００、７００〜８００、８００〜９００または９００〜１０００の範囲の質量電荷比を有する１価イオンは、イオン移動度分光計またはセパレータを通るドリフト時間または通過時間が（ｉ）０〜１ｍｓ、（ｉｉ）１〜２ｍｓ、（ｉｉｉ）２〜３ｍｓ、（ｉｖ）３〜４ｍｓ、（ｖ）４〜５ｍｓ、（ｖｉ）５〜６ｍｓ、（ｖｉｉ）６〜７ｍｓ、（ｖｉｉｉ）７〜８ｍｓ、（ｉｘ）８〜９ｍｓ、（ｘ）９〜１０ｍｓ、（ｘｉ）１０〜１１ｍｓ、（ｘｉｉ）１１〜１２ｍｓ、（ｘｉｉｉ）１２〜１３ｍｓ、（ｘｉｖ）１３〜１４ｍｓ、（ｘｖ）１４〜１５ｍｓ、（ｘｖｉ）１５〜１６ｍｓ、（ｘｖｉｉ）１６〜１７ｍｓ、（ｘｖｉｉｉ）１７〜１８ｍｓ、（ｘｉｘ）１８〜１９ｍｓ、（ｘｘ）１９〜２０ｍｓ、（ｘｘｉ）２０〜２１ｍｓ、（ｘｘｉｉ）２１〜２２ｍｓ、（ｘｘｉｉｉ）２２〜２３ｍｓ、（ｘｘｉｖ）２３〜２４ｍｓ、（ｘｘｖ）２４〜２５ｍｓ、（ｘｘｖｉ）２５〜２６ｍｓ、（ｘｘｖｉｉ）２６〜２７ｍｓ、（ｘｘｖｉｉｉ）２７〜２８ｍｓ、（ｘｘｉｘ）２８〜２９ｍｓ、（ｘｘｘ）２９〜３０ｍｓ、および（ｘｘｘｉ）＞３０ｍｓの範囲内にある。
【００７２】
一実施形態によると、質量分析計は、好ましくは、イオン移動度分光計またはセパレータの少なくとも一部を（ｉ）＞０．００１ｍｂａｒ、（ｉｉ）＞０．０１ｍｂａｒ、（ｉｉｉ）＞０．１ｍｂａｒ、（ｉｖ）＞１ｍｂａｒ、（ｖ）＞１０ｍｂａｒ、（ｖｉ）＞１００ｍｂａｒ、（ｖｉｉ）０．００１〜１００ｍｂａｒ、（ｖｉｉｉ）０．０１〜１０ｍｂａｒ、および（ｉｘ）０．１〜１ｍｂａｒからなる群から選択される圧力に維持するように配置および適合させた手段をさらに備える。
【００７３】
好ましくは、第１のガスがイオン移動度分光計またはセパレータに導入され、第１のガスは、好ましくは、（ｉ）窒素、（ｉｉ）アルゴン、（ｉｉｉ）ヘリウム、（ｉｖ）メタン、（ｖ）ネオン、（ｖｉ）キセノン、および（ｖｉｉ）空気から選択されるか、またはそれらからなる群から選択されるガスを少なくとも部分的に含む。
【００７４】
質量分析計は、好ましくは、イオン移動度分光計またはセパレータのためのハウジングをさらに備え、ハウジングは、イオン入射口開口、イオン出射口開口、およびガスをハウジング中へ導入するためのポートを除いて実質的に気密な封入体を形成する。
【００７５】
０〜５ｍｓ、５〜１０ｍｓ、１０〜１５ｍｓ、１５〜２０ｍｓ、２０〜２５ｍｓ、２５〜３０ｍｓ、３０〜３５ｍｓ、３５〜４０ｍｓ、４０〜４５ｍｓ、４５〜５０ｍｓまたは＞５０ｍｓ毎に１回、イオンがイオン移動度分光計またはセパレータにパルス入力されるのが好ましい。
【００７６】
一実施形態によると、質量分析計は、好ましくは、好適なイオンガイドまたは質量フィルタデバイスの上流および／または下流に配置されるドリフト領域、ドリフト管または電界のない領域をさらに備える。ドリフト領域は、好ましくは、イオンをその質量電荷比にしたがって時間的に分離するように配置および適合される。
【００７７】
別の実施形態によると、質量分析計は、好ましくは、好適なイオンガイドまたは質量フィルタデバイスの上流および／または下流に配置されるイオントラップまたはイオントラップ領域をさらに備える。イオンは、好ましくは、動作モードにおいてイオントラップまたはイオントラップ領域から質量選択的におよび／または共振により排出されるように構成される。あるいは、イオンは、動作モードにおいてイオントラップまたはイオントラップ領域から非質量選択的におよび／または共振により排出されるように構成されてもよい。
【００７８】
イオントラップは、四重極イオントラップ、２Ｄもしくは直線四重極イオントラップ、またはポールもしくは３Ｄ四重極イオントラップを備え得る。
【００７９】
質量分析計は、好ましくは、イオン源をさらに備える。イオン源は、好ましくは、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコンを用いた脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、（ｘｖｉｉ）大気圧マトリックス支援レーザ脱離イオン化イオン源、および（ｘｖｉｉｉ）熱スプレーイオン源からなる群から選択される。
【００８０】
イオン源は、パルス化または連続イオン源を備え得る。
【００８１】
質量分析計は、好ましくは、質量分析器をさらに備える。質量分析器は、好ましくは、（ｉ）四重極質量分析器、（ｉｉ）２Ｄまたは直線四重極質量分析器、（ｉｉｉ）ポールまたは３Ｄ四重極質量分析器、（ｉｖ）ペニングトラップ質量分析器、（ｖ）イオントラップ質量分析器、（ｖｉ）扇形磁場質量分析器、（ｖｉｉ）イオンサイクロトロン共鳴（「ＩＣＲ」）質量分析器、（ｖｉｉｉ）フーリエ変換イオンサイクロトロン共鳴（「ＦＴＩＣＲ」）質量分析器、（ｉｘ）静電またはオービトラップ質量分析器、（ｘ）フーリエ変換静電またはオービトラップ質量分析器、および（ｘｉ）フーリエ変換質量分析器からなる群から選択される。
【００８２】
本発明の別の局面によると、
複数の電極またはロッドを備えるイオンガイドまたは質量フィルタデバイスを準備するステップと、
ＡＣまたはＲＦ電圧を複数の電極またはロッドに印加するステップと、
イオンガイドまたは質量フィルタデバイス内またはそこから不要なイオンを共振により励起させるために複数の電極またはロッドに信号を供給するステップと
を含むイオンをガイドまたは質量フィルタリングする方法が提供される。
【００８３】
本発明の別の局面によると、
複数の電極と、
Ｍ１の質量電荷比を有するイオンおよびＭ３の質量電荷比を有するイオンがイオンガイドによって同時に移送されるが、Ｍ２の質量電荷比を有するイオンがイオンガイドによって実質的に移送されないように１つ以上の電圧を複数の電極に印加する電圧手段であって、Ｍ１＜Ｍ２＜Ｍ３である電圧手段と
を備えるイオンガイドが提供される。
【００８４】
本発明の別の局面によると、
複数の電極と、
Ｍ１、Ｍ３およびＭ５の質量電荷比を有するイオンがイオンガイドによって同時に移送されるが、Ｍ２およびＭ４の質量電荷比を有するイオンがイオンガイドによって実質的に移送されないように１つ以上の電圧を複数の電極に印加する電圧手段であって、Ｍ１＜Ｍ２＜Ｍ３＜Ｍ４＜Ｍ５である電圧手段と
を備えるイオンガイドが提供される。
【００８５】
本発明の別の局面によると、
１つ以上の電極と、
第１の範囲内に質量電荷比を有するイオンをイオンガイド内に実質的に維持させ、第２の異なる範囲内に質量電荷比を有するイオンを実質的にイオンガイドに維持させるが、第１および第２の範囲の中間の質量電荷比を有するイオンがイオンガイドから排出されるように配置および適合させた手段と
を備えるイオンガイドが提供される。
【００８６】
本発明の別の局面によると、複数の別々のまたは離散な非重複および同時質量電荷比移送ウィンドウを有するように配置および適合され、複数の質量電荷比移送ウィンドウ外の質量電荷比を有するイオンがイオンガイドによって実質的に減衰される、四重極ロッドセットイオンガイドが提供される。
【００８７】
本発明の別の局面によると、対象検体イオンを、イオンガイド内に軸方向に実質的にイオンをトラップすることなく、前方へ移送するように配置および適合され、イオンガイドによって前方へ移送させたくないイオンを共振により排出させるために、使用に際して広帯域周波数信号がイオンガイドに印加される、四重極ロッドセットイオンガイドが提供される。
【００８８】
本発明の別の局面によると、第１の質量電荷比移送ウィンドウおよび第２の異なる同時質量電荷比移送ウィンドウを有し、第１の質量電荷比移送ウィンドウが第２の質量電荷比移送ウィンドウに重複しない、四重極ロッドセットイオンガイドが提供される。
【００８９】
好適な実施形態によると、四重極ロッドセットイオンガイドは、第３の異なる同時質量電荷比移送ウィンドウを備え、第１、第２および第３質量電荷比移送ウィンドウが互いに重複しない。四重極ロッドセットイオンガイドは、好ましくは、第４の異なる同時質量電荷比移送ウィンドウを備え得、第１、第２、第３および第４の質量電荷比移送ウィンドウが互いに重複しない。第１、第２、第３および第４の質量電荷比移送ウィンドウの中間の質量対電荷比を有するイオンは、好ましくは、実質的に減衰される。
【００９０】
本発明の別の局面によると、
四重極ロッドセットイオンガイドを準備するステップと、
広帯域周波数信号を生成するステップと、
１つ以上の周波数ノッチを有するノッチ広帯域周波数信号を提供するために広帯域周波数信号から周波数成分を除去するステップと、
１つ以上の周波数ノッチを有するノッチ広帯域周波数信号を四重極ロッドセットイオンガイドに印加するステップと、
イオンのビームを四重極ロッドセットイオンガイドに渡し、イオンのビームのサブセットを、四重極ロッドセット内に軸方向にイオンを閉じ込めずに、四重極ロッドセットイオンガイドから現れさせるステップと
を含む質量分析の方法が提供される。
【００９１】
本発明の好適な実施形態によると、四重極ロッドセットイオンガイドが提供される。ここで、ノッチ広帯域周波数信号は、使用に際して、四重極ロッドセットのロッドに印加される。印加されたノッチ広帯域周波数信号は、好適なイオンガイドによって前方へ移送させたくないイオンを低減するが、一方、前方へ移送されることが所望のイオンの前方移送には好ましくは実質的に影響のない効果を有するのが好ましい。
【００９２】
上記好適な実施形態は、好ましくは、複数の異なる種のイオンの連続移送を容易にする四重極ロッドセットイオンガイドに関する。ここで、移送されるイオンは、好ましくは、単一の連続な質量電荷比を有さない。上記好適な実施形態によると、好適なイオンガイドまたは質量フィルタデバイスは、好ましくは、複数の異なる離散なイオン種を同時に平行に移送することができるが、前方へ移送されるイオンの質量電荷比の中間の質量電荷比を有する他のイオンを実質的に減衰しない。これは、単一の質量電荷比移送ウィンドウ内で連続となる質量電荷比を有するイオンを移送できるだけの低い分解能従来の四重極ロッドセット質量フィルタとは対照的である。好ましくは好適なイオンガイドまたは質量フィルタデバイスを出射するイオンビームは、好ましくは好適なイオンガイドまたは質量フィルタデバイスによって最初に受け取られたイオンビームの組成または質量電荷比プロファイルのサブセットであるイオン組成または質量電荷比プロファイルを好ましくは有する。
【００９３】
好適な実施形態によると、イオンガイド内に半径方向にイオンを閉じ込めるために、好ましくは、二位相ＡＣまたはＲＦ電圧が四重極ロッドセットイオンガイドのロッドに印加される。加えて、好ましくは、ノッチ広帯域周波数信号が四重極ロッドセットの２つの対向するロッドに印加される。ノッチ広帯域周波数信号は、好ましくは、不要なイオンを共振により励起させ、好適なイオンガイドまたは質量フィルタデバイスから半径方向に排出させるが、対象検体イオンは、好ましくは、ノッチ広帯域周波数信号の四重極ロッドセットへの印加によって実質的に影響されない。好適なイオンガイドまたは質量フィルタデバイスに好ましくは印加される広帯域周波数信号は、好ましくは、好適なイオンガイドまたは質量フィルタデバイスによって前方へ移送されることが所望の対象の検体または他のイオンの共振、永続、第１または基本高調波振動数に好ましくは対応する１つ以上の欠落周波数成分を有する。
【００９４】
好適な動作モードにおいて、好適なイオンガイドまたは質量フィルタデバイスは、好ましくは、特定の対象イオンの実質的に連続な流れを前方へ移送するが、すべての他のイオンを実質的に減衰する。好適なイオンガイドまたは質量フィルタデバイスによって好ましくは前方へ移送されるイオンは、好ましくは、複数の異なる質量電荷比を有し、イオンは、好ましくは、後の分析のために平衡に移送される。中間質量電荷比を有するイオンは、好ましくは、減衰される。例として、２００〜５００の範囲の連続な質量電荷比を有するイオンのビームは、好適なイオンガイドまたは質量フィルタデバイスによって受け取られると考えられる。２５０、３５０および４５０の特定の質量電荷比を有するイオンのみを同時に前方へ移送させたいならば、２５０、３５０および４５０の質量電荷比を有するこれらのイオンを除いて受け取られるすべてのイオンを共振により励起し、半径方向に排出する効果を有する周波数を有するノッチ広帯域周波数信号が好適なイオンガイドまたは質量フィルタデバイスに与えられ得る。したがって、ノッチ広帯域周波数信号は、好ましくは、２５０、３５０および４５０の質量電荷比を有するイオンの共振または第１の高調波振動数に対応する欠落周波数成分を有する。あるいは、２５０、３５０および４５０の質量電荷比を有するイオンは、印加された広帯域周波数信号によって共振により励起されず、したがって好適なイオンガイドまたは質量フィルタデバイスから半径方向に排出されない。その結果、２５０、３５０および４５０の特定の質量電荷比を有するイオンは、好適なイオンガイドまたは質量フィルタデバイスによって前方へ移送されるが、すべての他のイオンは、共振により励起され、イオンガイド半径方向に排出され、したがって実質的に減衰されるか、またはそうでなければ系から失われる。
【００９５】
以下に、例示のためのみに示される構成とともに本発明の種々の実施形態を、あくまで例として、添付の図面を参照して説明する。
【００９６】
従来の四重極ロッドセットイオンガイド１を図１に示す。四重極ロッドセットは、４つの平行ロッド２ａ、２ｂを備える。４つのすべてのロッド２ａ、２ｂは、実質的に同じＤＣ電圧または電位に維持される。二位相ＲＦ電圧源３は、隣り合うロッドに逆位相のＲＦ電圧が印加されるが、正反対のロッド２ａ；２ｂに同じ位相のＲＦ電圧が印加されるように、ロッド２ａ、２ｂに接続される。ロッド２ａ、２ｂに印加されたＲＦ電圧は、イオンをイオンガイド１内に半径方向に閉じ込めるように作用する半径方向擬似電位井戸を生成する。イオンは、イオンガイド１内に軸方向には閉じ込められない。
【００９７】
従来の四重極ロッドセットイオンガイド１は、少なくとも一次近似として、イオンを実質的に質量フィルタリングすることなく、イオンを同時にイオンガイド１を通って移送させる。したがって、少なくとも一次近似として、イオンガイド１の入射口において受け取られた実質的にすべてのイオン４は、イオンガイド１によって前方へ移送される。その結果、イオンガイド１の出射口から現れるイオン５のビームの組成は、イオンガイド１の入射口において最初に受け取られるイオン４のビームの組成と実質的に同様である。
【００９８】
あるいは、四重極ロッドセット１は、隣り合うロッド間のＤＣ電位差を維持することによって質量フィルタまたは質量分析器として動作され得る。質量フィルタまたは質量分析器として動作される場合、所定の質量電荷比移送ウィンドウ内の質量電荷比を有するイオンのみが安定した軌跡を描いて質量フィルタを通る。したがって、質量電荷比移送ウィンドウ内の質量電荷比を有するこれらのイオンのみが質量フィルタによって前方へ移送される。すべての他のイオンは、質量フィルタまたは質量分析器を通る軌跡が不安定なので、系から失われる。
【００９９】
本発明の好適な実施形態にかかるイオンガイドまたは質量フィルタデバイス６を図２に示す。イオンガイドまたは質量フィルタデバイス６は、好ましくは、４つの平行ロッド２ａ、２ｂを備える四重極ロッドセットを備える。この好適な実施形態によると、ロッド２ａ、２ｂは、二位相ＡＣまたはＲＦ電圧源３に接続される。隣り合うロッドは、好ましくは、逆位相のＡＣまたはＲＦ電圧が印加されるように配置され、正反対のロッド２ａ、２ｂは、好ましくは、同位相のＡＣまたはＲＦ電圧が印加されるように配置される。ロッド２ａ、２ｂに印加されるＡＣまたはＲＦ電圧は、好ましくは、イオンを好適なイオンガイドまたは質量フィルタデバイス６内に半径方向に閉じ込めるように好ましくは作用する半径方向擬似電位井戸を生成する。
【０１００】
この好適な実施形態によると、好ましくは、ノッチ広帯域周波数信号７が対向するロッド対２ａ；２ｂに印加される。ノッチ広帯域周波数信号７は、好ましくは、補助双極波形を備える。ノッチ広帯域周波数信号７を対向するロッド対２ａ、２ｂに印加することによって、好ましくは、好適なイオンガイドまたは質量フィルタデバイス６によって前方へ移送されてほしくない大多数のイオンが共振により励起され、好適なイオンガイドまたは質量フィルタデバイス６から半径方向に排出される。不要なイオンの共振励起および半径方向の移動の強度は、好ましくは、反対にイオンを好適なイオンガイドまたは質量フィルタデバイス６内に半径方向に閉じ込めようとするＡＣまたはＲＦ電圧の印加によって生成される半径方向擬似電位井戸の効果を打ち勝つのに十分である。
【０１０１】
また、好ましくは、広帯域の周波数信号７に備えられるノッチを、好ましくはロッド２ａ、２ｂに印加される広帯域周波数信号７に好ましくは存在しないか、またはそうでなければ欠落したいくつかの周波数または周波数成分があるように配置する。したがって、印加された広帯域周波数信号７に存在しないかまたは欠落した周波数に実質的に対応する共振または第１の高調波振動数を有するイオンは、好ましくは、印加された広帯域周波数信号７によって共振により励起されない。したがって、これらのイオンは、好適なイオンガイドまたは質量フィルタデバイス６から半径方向に排出されない。したがって、これらのイオンは、広帯域周波数信号７をロッド２ａ、２ｂに印加することに実質的に影響されない。その結果、好適なイオンガイドまたは質量フィルタデバイス６によって前方へ移送されることが所望のイオンは、好適なイオンガイドまたは質量フィルタデバイス６内に維持され、好ましくは、好適なイオンガイドまたは質量フィルタデバイス６によって前方へ移送される。
【０１０２】
好ましさのより低い実施形態によると、対向するロッド対２ａ；２ｂに好ましくは印加されるノッチ広帯域周波数信号７は、比較的小さいまたは低い程度にのみ対象検体イオンを共振により励起させ得る比較的低い振幅周波数成分を含み得る。これらの周波数成分の振幅は、好ましくは比較的低く保たれ、したがって、対象イオンは、ＡＣまたはＲＦ電圧を印加することによって生じる半径方向擬似電位井戸の半径方向閉じ込め作用に打ち勝つことができるほど十分には共振により励起されない。
【０１０３】
好ましくはロッド２ａ、２ｂに印加される広帯域双極波形７は、好ましくは、いくつかまたは大多数のイオンを共振により励起させ、好適なイオンガイドまたは質量フィルタデバイス６から半径方向に排出させるが、好適なイオンガイドまたは質量フィルタデバイス６内に半径方向に維持され、好適なイオンガイドまたは質量フィルタデバイス６によって前方へ移送されることが意図されるか、またはそうでなければ所望される所定の特定の質量電荷比を有する１つ以上の対象検体イオンに実質的に影響を与えない。したがって、好適なイオンガイドまたは質量フィルタデバイス６によって移送されることが所望のイオンであって、広帯域周波数信号７の印加に実質的に影響されないイオンは、好適なイオンガイドまたは質量フィルタデバイス６を通って平行に同時に移送されるように配置される。前方へ同時に移送されるイオン９は、好ましくは、好適なイオンガイドまたは質量フィルタデバイス６の入射口において受け取られたイオン８のサブセットまたは低減されたセットを構成する。
【０１０４】
好適なイオンガイドまたは質量フィルタデバイス６によって好ましくは同時に前方へ移送されるイオン９は、好ましくは一範囲の異なるかつ別個の質量電荷比を有する。したがって、好適なイオンガイドまたは質量フィルタデバイス６は、好ましくは、低いかまたは高い分解能モードのいずれかで動作する従来の四重極ロッドセットイオンガイドまたは従来の四重極ロッドセット質量フィルタの質量電荷比プロファイルと好ましくは異なる質量電荷比プロファイルを有するイオンを移送する。
【０１０５】
好適なイオンガイドまたは質量フィルタデバイス６のロッド対２ａ；２ｂに好ましくは印加される双極広帯域波形７は、好ましくは、最初に広帯域周波数信号を与え、次いで好ましくは所定の特定の周波数成分をこの広帯域周波数信号から除去することによって形成または生成される。好ましくは広帯域周波数信号から除去されるこれらの周波数または周波数成分は、好ましくは、好適なイオンガイドまたは質量フィルタデバイス６によって前方へ移送されることが所望の対象イオンの共振または第１の高調波振動数と対応する。
【０１０６】
本発明の実施形態にかかる四重極ロッドセットイオンガイド６に好ましくは印加され得るノッチ広帯域周波数信号１０の例を図３に示す。ノッチ広帯域周波数信号１０は、図では複数の周波数ノッチ１１ａ、１１ｂ、１１ｃを有するように示される。１つ以上の周波数ノッチ１１ａ、１１ｂ、１１ｃは、好ましくは、広帯域周波数信号１０において与えられ、好適なイオンガイドまたは質量フィルタデバイス６によって前方へ移送されることが所望の所定の種の検体イオンの共振または第１の高調波振動数に好ましくは対応する周波数が欠落している。広帯域周波数信号１０の範囲は、好ましくは、好適なイオンガイドまたは質量フィルタデバイス６によって受け取られたイオンビーム８に存在するすべての不要なイオンが好ましくは共振により励起され、好適なイオンガイドまたは質量フィルタ６から半径方向に排出されるが、対象検体イオンが好ましくは実質的に維持される程度に十分広い。したがって、好適なイオンガイドまたは質量フィルタデバイス６中に受け取られたすべてのイオン８は、好ましくは、広帯域周波数信号１０に存在する周波数ノッチ１１ａ、１１ｂ、１１ｃの１つに対応する共振周波数または広帯域周波数信号から欠落した周波数成分を有するイオンを除いて、共振により励起され、好適なイオンガイドまたは質量フィルタデバイス６から半径方向に排出される。
【０１０７】
イオン８は、好ましくは、好適なイオンガイドまたは質量フィルタデバイス６へ実質的に軸方向に入射するように配置されるが、イオンが好適なイオンガイドまたは質量フィルタデバイス６へ非軸方向、半径方向、または別方向に入射するように配置され得る他の実施形態が考えられる。また、イオンが好適なイオンガイドまたは質量フィルタデバイス６内で生成されることが考えられる。
【０１０８】
印加された広帯域周波数信号１０の周波数成分に対応する共振または基本高調波振動数を有するイオンは、好ましくは、共振により励起され、好ましくは好適なイオンガイドまたは質量フィルタデバイス６から半径方向に排出される。しかし、広帯域周波数信号１０中の周波数ノッチ１１ａ、１１ｂ、１１ｃの１つに好ましくは一致するか、または好ましくは実質的に対応する共振または基本高調波振動数を有するイオンは、好ましくは共振により励起されず、好ましくは好適なイオンガイドまたは質量フィルタデバイス６から実質的に半径方向に排出されない。したがって、これらのイオンは、好適なイオンガイドまたは質量フィルタデバイス６内に好ましく留まる。次いで、好ましくは好適なイオンガイドまたは質量フィルタデバイス６内に維持され、かつ好ましくはその中を移送されるイオンのサブセット９は、好ましくは実質的に軸方向に好適なイオンガイドまたは質量フィルタデバイス６を出射する。次いで、これらのイオンは、イオン検出器によって検出され得るか、または質量分析計の他のデバイスまたは構成要素に移送され得る。好ましさのより低い実施形態によると、所望のイオンは、好適なイオンガイドまたは質量フィルタデバイス６から半径方向または別方向へ排出され得る。
【０１０９】
四重極ロッドセットイオンガイドまたは質量フィルタデバイス６は、非分解またはイオンガイドモードにおいて動作され得る。ここで、すべてのロッドは、好ましくは、実質的に同じＤＣ電圧または電位に維持される。図４Ａは、この実施形態によって、印加された広帯域周波数信号１０の周波数範囲が、好適なイオンガイドまたは質量フィルタデバイス６中へ受け取られると期待される最低および最高質量電荷比イオンの共振周波数をどのように好ましく上回り、下回るかを示す。したがって、ノッチ広帯域周波数信号１０は、好適なイオンガイドまたは質量フィルタデバイス６中に受け取られたすべてのイオン（ノッチ広帯域周波数信号１０中の周波数ノッチ１１ａ、１１ｂ、１１ｃに対応するか、または広帯域周波数信号１０から欠落した周波数成分に対応する永続または共振周波数を有するイオンを除く）を、場合によっては、効果的に共振により励起させ、したがって半径方向に排出するように配置され得る。
【０１１０】
図４Ｂを参照してより詳細に説明されるような別の実施形態によると、四重極ロッドセットイオンガイドまたは質量フィルタデバイス６は、比較的低い分解能質量フィルタリング動作モードにおいて動作され得る。この動作モードによると、好ましくは、ＤＣおよびＲＦ電圧の組み合わせが、隣り合うロッドが好ましくは実質的に大きさが等しくかつ位相が逆のＤＣ電位または電圧に維持されるように、好適なイオンガイドまたは質量フィルタデバイス６のロッド２ａ、２ｂに印加される。したがって、四重極ロッドセット６は、好ましくは、低い分解能質量フィルタとして動作する。したがって、上側および下側質量電荷比カットオフを境界とする質量電荷比移送ウィンドウ内の所定の質量電荷比を有するイオンのみが四重極ロッドセット６によって移送される。これは、ノッチ広帯域周波数信号を四重極ロッドセット６に印加する効果に関係しない。この実施形態は、対象検体イオンの維持および前方移送に実質的に影響を与えずに不要なイオンを除去するために、低減された周波数内容または低減された範囲の周波数を有するノッチ広帯域周波数信号１０’が好ましくは四重極ロッドセット６に印加されることを可能にする。
【０１１１】
この実施形態によると、イオンは、２つの異なる効果を受けると考えられ得る。第一に、四重極ロッドセット質量フィルタの質量電荷比移送ウィンドウから外れる質量電荷比を有するすべてのイオンは、減衰される。なぜなら、これらのイオンが不安定な軌跡を描いて四重極ロッドセットを通り、系から失われるからである。第二に、四重極質量フィルタの移送ウィンドウ内にある質量電荷比を有するイオンは、四重極ロッドセット質量フィルタの質量電荷比移送ウィンドウに好ましくは概ねまたは実質的に対応する周波数範囲を好ましくは有するノッチ広帯域周波数信号１０’の効果をさらに受ける。広帯域周波数信号１０’中の周波数ノッチ１１ａ、１１ｂ、１１ｃに対応する共振または基本高調波振動数を有するこれらのイオンのみが前方へ移送される。他のイオンは、四重極ロッドセット質量フィルタの質量電荷比移送ウィンドウ内にある質量電荷比を有するが、共振により励起され、四重極ロッドセットから半径方向に排出される。
【０１１２】
四重極ロッドセットが低い分解能質量フィルタとして動作されている場合に、ノッチ広帯域周波数信号が印加されることによって生成された１つ以上の質量電荷比移送ウィンドウが四重極ロッドセット質量フィルタの単一の質量電荷比移送ウィンドウを部分的に越えるか、重複するか、または完全にその中に含まれ得るような実施形態が考えられる。
【０１１３】
好適なイオンガイドまたは質量フィルタデバイス６は、好ましくは、例えばイオン源から受け取られたイオン８のサブセット９を好ましくは同時に移送する同時複数イオン移送イオンガイドまたは質量フィルタデバイス６として機能する。次いで、イオンは、さらなる分析またはイオン検出のために移送され得る。
【０１１４】
好適なイオンガイドまたは質量フィルタデバイス６は、多くの異なるアプリケーションを有する。一実施形態によると、イオンガイドまたは質量フィルタデバイス６は、図５に示すようにイオン源１１と、衝突、フラグメンテーションまたは反応デバイス１４とのほぼ中間に提供または配置され得る。比較となる従来の構成において、従来の四重極ロッドセットイオンガイドは、イオン源と、衝突またはフラグメンテーションセルとの中間に提供され得る。従来の四重極ロッドセットイオンガイドは、イオン源から受け取った実質的にすべてのイオンを衝突またはフラグメンテーションセルに移送する。しかしながら、衝突またはフラグメンテーションセルに移送され、次いで衝突またはフラグメンテーションセル内でフラグメンテーションされる前駆体イオンの親の種の多くは、対象検体イオンと関係しない可能性があるという欠点がある。
【０１１５】
これに対して、従来の四重極ロッドセットイオンガイドの代わりに上記好適な実施形態にかかるイオンガイドまたは質量フィルタデバイス６を提供することによって、対象検体イオンのみが好適なイオンガイドまたは質量フィルタデバイス６によってイオン源１１から衝突、フラグメンテーションまたは反応デバイス１４へ同時に平行に移送されることを確実にすることによって信号対雑音比を著しく向上させ得る。バックグラウンドイオンまたは対象でないかもしくは除外したいイオンは、好適なイオンガイドまたは質量フィルタデバイス６によって効果的に減衰され得、したがって、衝突、フラグメンテーションまたは反応デバイス１４へ移送されることが防止される。したがって、上記好適な実施形態は、総イオンクロマトグラムにおけるノイズを低減することができるので、特に有利である。一実施形態において、好適なイオンガイドまたは質量フィルタデバイス６は、例えば異なる電荷状態を有するが同じ種の検体分子、原子または化合物に関するイオンを平行に移送するように使用され得る。例えば、同じ種の分子、原子または化合物に関する二価および三価のイオンは前方へ移送され得るが、すべての他のイオンは実質的に減衰され得る。
【０１１６】
他の実施形態によると、好適なイオンガイドまたは質量フィルタデバイス６は、図６に示すように、衝突、フラグメンテーションまたは反応デバイス１４の下流かつイオン検出器１７の上流に提供され得る。この実施形態によると、好適なイオンガイドまたは質量フィルタデバイス６は、複数の異なる種の娘、フラグメント、付加物または生成物イオン１５、および、場合によっては、フラグメンテーションされていない親または前駆体イオンを受け取り得る。しかし、好適なイオンガイドまたは質量フィルタデバイス６は、好ましくは、衝突、フラグメンテーションまたは反応デバイス１４から現れる、選択された娘、フラグメント、付加物または生成物対象イオン１６のみが前方へ同時に実質的に平行にイオン検出器１７へ移送されるよう配置されることを確実にする。
【０１１７】
本発明のさらなる実施形態により、高感度化マルチ反応モニタリング実験を行うことが可能となる。この実施形態を図７を参照してより詳細に説明する。従来のタンデム四重極質量分析計を使用して行われるマルチ反応モニタリング（ＭＲＭ）実験において、高分解能動作モードにおいて動作される第１の四重極質量フィルタを使用して１種の親または前駆体イオンを選択することは従来から行われている。第１の四重極ロッドセット質量フィルタは、１種の親または前駆体イオンを選択的に移送し、すべての他の親または前駆体イオンを減衰する。次いで、第１の四重極ロッドセット質量フィルタによって移送される１種の親または前駆体イオンは、第１の四重極ロッドセット質量フィルタの下流に配置される衝突またはフラグメンテーションセルにおいてフラグメンテーションされるように配置される。複数の異なる娘またはフラグメントイオンは、衝突またはフラグメンテーションセルにおいて生成される。第２の四重極ロッドセット質量フィルタまたは質量分析器は、衝突またはフラグメンテーションセルの下流に配置される。次いで、衝突またはフラグメンテーションセルにおいて生成された最も強度の高い娘またはフラグメントイオンは、第２の四重極ロッドセット質量フィルタの切り替えおよび／またはスキャンを行い、イオン検出器を使用してイオンを検出することによって移送および検出される。
【０１１８】
本発明の一実施形態によると、第１の好適なイオンガイドまたは質量フィルタデバイス６ａは、図７に示すように衝突、フラグメンテーションまたは反応デバイス１４の下流に提供され得る。第１の好適なイオンガイドまたは質量フィルタデバイス６ａは、好ましくは、対象の複数の異なる種の娘、フラグメント、付加物もしくは生成物イオン、および／または対象のフラグメンテーションされていない親もしくは前駆体イオンを同時に平行に移送するが、衝突、フラグメンテーションまたは反応デバイス１４から受け取られる対象でない他の娘、フラグメント、付加物もしくは生成物イオンおよび／またはフラグメンテーションされていない親もしくは前駆体イオンを好ましくはフィルタリング除去または実質的に減衰させるように配置される。
【０１１９】
さらにまたは代わりに、第２の好適なイオンガイドまたは質量フィルタデバイス６ｂは、イオン蓄積またはイオン格納デバイス２０（イオントラップなど）の上流かつ好ましくはイオン源１１の下流に提供され得る。第２の好適なイオンガイドまたは質量フィルタデバイス６ｂは、好ましくは、公知であるかまたは検体対象と考えられる種の親または前駆体イオンのみを選択的に移送することによってイオン蓄積またはイオン格納デバイス２０に入る総イオン流を低減するように配置される。また、これは空間電荷効果および容量効果を低減するのに役立ち得る。
【０１２０】
好ましくは、イオン源１１は、好ましくは第２の好適なイオンガイドまたは質量フィルタデバイス６ｂによって受け取られるイオンビーム１８を出射するように配置される。第２の好適なイオンガイドまたは質量フィルタデバイス６ｂは、好ましくは、親または前駆体イオンの所定の特定の種１９を選択的に移送し、次いでこれらは、好ましくは、下流イオン蓄積領域またはイオントラップ２０へ前方移送される。所定の期間の後に、イオン蓄積領域またはイオントラップ２０中に存在する親または前駆体イオン２１は、好ましくは、イオン蓄積領域またはイオントラップ２０から排出され、好ましくはイオン蓄積領域またはイオントラップ２０の下流に配置されるイオン時間的分離領域またはデバイス２２へ好ましくは輸送または移送される。イオン時間的分離領域またはデバイス２２は、好ましくは、衝突、フラグメンテーションまたは反応デバイス１４の上流にある。
【０１２１】
一実施形態によると、イオン時間的分離領域またはデバイス２２は、イオン移動度分光計またはセパレータを備え得る。イオン移動度分光計またはセパレータは、好ましくは、イオンをそのイオン移動度にしたがって時間的に分離するように構成される。次いで、好ましくは、イオン移動度分光計またはセパレータから現れたイオンは、好ましくはイオン移動度分光計またはセパレータの下流に配置される衝突、フラグメンテーションまたは反応デバイス１４へ渡されるか、またはそうでなければ前方へ移送される。好ましくは、イオン移動度分光計またはセパレータ２２から所定の期間にわたって現れるイオンは、衝突、フラグメンテーションまたは反応デバイス１４において順次フラグメンテーションされるか、または反応される。次いで、好ましくは、得られたフラグメント、娘、付加物または生成物イオン２４、およびいずれかのフラグメンテーションされていない親または前駆体イオンは、好ましくは衝突、フラグメンテーションまたは反応デバイス１４の下流に提供される第１の好適なイオンガイドまたは質量フィルタデバイス６ａへ移送される。
【０１２２】
第１の好適なイオンガイドまたは質量フィルタデバイス６ａは、好ましくは、所定の特定のもしくは所望のフラグメント、娘、付加物もしくは生成物イオン２５または所望のフラグメンテーションされていない親もしくは前駆体イオンを、好ましくは第１の好適なイオンガイドまたは質量フィルタデバイス６ａの下流に配置されるイオン検出器１７へ向かって前方のみに移送する。好ましくは第１の好適なイオンガイドまたは質量フィルタデバイス６ａによって前方へ移送されるように配置されたフラグメント、娘、付加物もしくは生成物イオンおよび／またはフラグメンテーションされていない親もしくは前駆体イオンの質量電荷比プロファイルまたは移送ウィンドウは、好ましくはイオン時間的分離領域またはデバイス２２から現れ、衝突、フラグメンテーションまたは反応デバイス１４の入射口に到着する特定の親もしくは前駆体イオンまたは他のイオンの時間的な到着に概ねまたは実質的に同期するように配置されてもよいし、されなくてもよい。したがって、第１の好適なイオンガイドまたは質量フィルタデバイス６ａによって移送されるフラグメント、娘、付加物もしくは生成物イオンおよび／またはフラグメンテーションされていない親もしくは前駆体イオンの質量電荷比プロファイルまたは移送ウィンドウは、好ましくは、時間的に変化するかまたはスキャンされる。
【０１２３】
親または前駆体イオンは、好ましくは、時間的分離領域またはデバイス２２を通過する際に時間的に分離される。イオンの時間的分離は、イオン移動度にしたがって行われ得るか、またはイオンの質量電荷比にしたがって行われ得る。
【０１２４】
時間的分離領域またはデバイス２２から現れるイオン種は、好ましくは所定時間に衝突、フラグメンテーションまたは反応デバイス１４に入射し、好ましくはフラグメンテーションまたは反応を行う。次いで、得られた娘、フラグメント、付加物または生成物イオン２４は、好ましくは、第１の好適なイオンガイドまたは質量フィルタデバイス６ａに入射する。ここで、好ましくはノッチ広帯域信号１０が使用に際して第１の好適なイオンガイドまたは質量フィルタデバイス６ａに印加される。第１の好適なイオンガイドまたは質量フィルタデバイス６ａは、好ましくは、異なる質量電荷比を有する選択された娘、フラグメント、付加物もしくは生成物イオン２５および／またはフラグメンテーションされていない親もしくは前駆体イオンをイオン検出器１７へ移送する。
【０１２５】
第１の好適なイオンガイドまたは質量フィルタデバイス６ａによって移送される娘、フラグメント、付加物もしくは生成物イオン２５および／またはフラグメンテーションされていない親もしくは前駆体イオンの質量電荷比は、時間の関数として変化または変動し得る。上記好適な実施形態によると、第１の好適なイオンガイドまたは質量フィルタデバイス６ａの１つ以上の質量電荷比移送ウィンドウは、例えば、衝突、フラグメンテーションまたは反応デバイス１４における親または前駆体イオンの到着時間にしたがってまたは応じて変動する。別々のまたは異なる親もしくは前駆体イオンおよび／またはフラグメンテーションされていない親もしくは前駆体イオンから生じる娘、フラグメント、付加物または生成物イオンの時間的分離を維持するために、衝突、フラグメンテーションまたは反応デバイス１４は、好ましくは、アクティブ軸方向イオン輸送の一形態を使用し得る。アクティブ軸方向イオン輸送は、好ましくは生成され、次いで好ましくは衝突、フラグメンテーションまたは反応デバイス１４の長さに沿って平行移動される複数の軸方向電位井戸を生成および平行移動させることを含んでいてもよい。
【０１２６】
時間的分離および分析段階の間、時間的分離領域またはデバイス２２の上流のイオン蓄積領域またはイオントラップ２０は、好ましくは、第２の好適なイオンガイドまたは質量フィルタデバイス６ｂによって好ましくは選択的に前方へ移送される親または前駆体イオン１９によって再度満たされ得る。一旦前回の分析が終了すると、次いでこれらの新しい親または前駆体イオン１９は、イオン蓄積領域またはイオントラップ２０から放出され、分離および後の分析のために時間的分離領域またはデバイス２２へ渡され得る。この実施形態にかかるシステムデューティサイクルは、好ましくは比較的高く、前駆体または親イオン毎に検出される娘、フラグメント、付加物または生成物イオン信号は、好ましくは、比較となる従来の構成に比べて増加される。
【０１２７】
時間的分離領域またはデバイス２２は、好ましくは、イオン蓄積領域またはイオントラップ２０から受け取るイオンの混合物を時間的に分離するデバイスを備える。衝突、フラグメンテーションまたは反応デバイス１４から現れるいずれかの娘、フラグメント、付加物または生成物イオン２４、または時間的分離領域またはデバイス２２から現れるイオンは、対応する親または前駆体イオンと時間的に相関するか、またはそうでなければ連係もしくは関連することが可能であることが望ましい。時間的分離領域またはデバイス２２は、イオン移動度分光計またはセパレータを備え得る。あるいは、時間的分離領域またはデバイス２２は、ドリフト領域を備え得る。ここで、イオンがドリフト領域を通る飛行時間に基づき質量電荷比にしたがって分離される。さらなる実施形態によると、時間的分離領域またはデバイス２２は、イオントラップを備え得る。ここで、イオンは、好ましくは、漸進的および／または結果的に共振してイオントラップから排出またはスキャンされる。
【０１２８】
衝突、フラグメンテーションまたは反応デバイス１４を通るアクティブイオン推進は、好ましくは、衝突、フラグメンテーションまたは反応デバイス１４中へ受け取られているイオン種の時間的分離が、例えば、衝突、フラグメンテーションまたは反応デバイス１４中に存在するイオンおよびガス分子間の複数回の衝突によって失われることを防止するために利用され得る。イオンは、衝突、フラグメンテーションまたは反応デバイス１４の電極に好ましくは印加される１つ以上の過渡ＤＣ電位もしくは電圧、または１つ以上の過渡ＤＣ電位もしくは電圧波形によって、または印加された軸方向電圧または電位勾配によって、衝突、フラグメンテーションまたは反応デバイス１４を通るように駆動され得る。
【０１２９】
また、複数の異なるまたは別々のノッチ広帯域周波数信号が好適なイオンガイドまたは質量フィルタデバイス６、６ａ、６ｂのうちの１つ以上に印加され得る実施形態が考えられる。各別個のノッチ広帯域周波数信号によって生成される質量電荷比移送ウィンドウは、少なくとも部分的に互いに重複してもよいし、しなくてもよい。さらに、１つ以上の質量電荷比移送ウィンドウが実質的に一定または経時的に固定されたままであり得るが、１つ以上の他の質量電荷比移送ウィンドウが実質的に時間的に変動または変化し得る実施形態が考えられる。
【０１３０】
本発明を好適な実施形態を参照して説明したが、添付の特許請求の範囲に記載の発明の範囲を逸脱することなく形態および詳細について種々の変更をし得ることが当業者に理解される。
【図面の簡単な説明】
【０１３１】
【図１】図１は、従来の四重極ロッドセットイオンガイドを示す。
【図２】図２は、本発明の好適な実施形態にかかるイオンガイドまたは質量フィルタデバイスを示す。ここで、不要なイオンを共振により励起させ、半径方向に排出するために、ノッチ広帯域周波数信号が２つの対向するロッドに印加される。
【図３】図３は、好適な実施形態にかかる四重極ロッドセットの２つの対向するロッドに印加され得るノッチ広帯域周波数信号の模式図である。
【図４】図４Ａは、比較的広範囲の周波数を有する広帯域周波数信号が四重極ロッドセットイオンガイドに印加される実施形態を示す。図４Ｂは、より狭い範囲の周波数を有する広帯域周波数信号が低い分解能質量フィルタとして動作する四重極ロッドセット質量フィルタに印加される別の実施形態を示す。
【図５】図５は、好適なイオンガイドまたは質量フィルタデバイスがイオン源と衝突、フラグメンテーションまたは反応デバイスとの中間に配置され、好適なイオンガイドまたは質量フィルタデバイスは、イオン源から受け取られた所定の親または前駆体イオンのみを衝突、フラグメンテーションまたは反応デバイスに移送するように配置される本発明の実施形態を示す。
【図６】図６は、好適なイオンガイドまたは質量フィルタデバイスが衝突、フラグメンテーションまたは反応デバイスとイオン検出器との中間に配置され、好適なイオンガイドまたは質量フィルタデバイスは、衝突、フラグメンテーションまたは反応デバイスから受け取られた所定の娘、フラグメント、生成物または付加物のイオンのみをイオン検出器に移送するように配置される本発明の実施形態を示す。
【図７】図７は、好適なイオンガイドまたは質量フィルタデバイスは、イオン源から受け取られた所定の前駆体または親イオンを、衝突、フラグメンテーションまたは反応デバイスの上流に配置されたイオン移動度分光計またはセパレータにイオンをパルス入力するイオントラップに前方移送するように構成され、他の好適なイオンガイドまたは質量フィルタデバイスは、衝突、フラグメンテーションまたは反応デバイスの下流に配置され、衝突、フラグメンテーションまたは反応デバイスから受け取った所定の娘、フラグメント、生成物または付加物イオンのみをイオン検出器に移送するように配置される本発明の実施形態を示す。
【図１】
2008521189.tif 000004
【図２】
2008521189.tif 000005
【図３】
2008521189.tif 000006
【図４】
2008521189.tif 000007
【図５】
2008521189.tif 000008
【図６】
2008521189.tif 000009
【図７】
2008521189.tif 000010
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
複数の電極またはロッドと、
ＡＣまたはＲＦ電圧を前記複数の電極またはロッドに印加するＡＣまたはＲＦ電圧源と、
イオンガイドまたは質量フィルタデバイス内またはそこから不要なイオンを共振により励起させるために前記複数の電極またはロッドに四重極波形を有する信号を供給するように配置および適合させた信号手段と
を備えるイオンガイドまたは質量フィルタデバイス。
【請求項２】
前記信号手段は、前記イオンガイドまたは質量フィルタデバイスから不要なイオンを半径方向に排出するように配置および適合させた、請求項１に記載のイオンガイドまたは質量フィルタデバイス。
【請求項３】
前記イオンガイドまたは質量フィルタデバイスは、イオンを前記イオンガイドまたは質量フィルタデバイス内に軸方向に実質的に閉じ込めるかまたはトラップすることなしにイオンを前方へ移送させるように配置および適合させた、請求項１または２に記載のイオンガイドまたは質量フィルタデバイス。
【請求項４】
対象検体イオンは、前記イオンガイドまたは質量フィルタデバイス内に軸方向に実質的に閉じ込めるかまたはトラップされずに前記イオンガイドまたは質量フィルタデバイスによって前方へ移送されるが、検体対象でない他のイオンは、前記イオンガイドまたは質量フィルタデバイスによって実質的に減衰される、請求項１、２または３に記載のイオンガイドまたは質量フィルタデバイス。
【請求項５】
前記イオンガイドまたは質量フィルタデバイスは、四重極イオンガイドまたは質量フィルタデバイスを備える、先行する請求項のいずれかに記載のイオンガイドまたは質量フィルタデバイス。
【請求項６】
前記複数の電極またはロッドは、４つのロッドを備える四重極ロッドセットを備え、
前記四重極ロッドセットの各ロッドは、長軸を有し、前記４つのロッドの各々の長軸は、互いに実質的平行および／または等距離である、先行する請求項のいずれかに記載のイオンガイドまたは質量フィルタデバイス。
【請求項７】
前記イオンガイドまたは質量フィルタデバイスは、半径方向２次電位分布または半径方向直線電界を維持するように構成される、先行する請求項のいずれかに記載のイオンガイドまたは質量フィルタデバイス。
【請求項８】
前記信号手段は、広帯域周波数信号を前記複数の電極またはロッドに供給するように配置および適合させた、先行する請求項のいずれかに記載のイオンガイドまたは質量フィルタデバイス。
【請求項９】
前記信号手段は、（ｉ）＜１ｋＨｚ、（ｉｉ）１〜２ｋＨｚ、（ｉｉｉ）２〜３ｋＨｚ、（ｉｖ）３〜４ｋＨｚ、（ｖ）４〜５ｋＨｚ、（ｖｉ）５〜６ｋＨｚ、（ｖｉｉ）６〜７ｋＨｚ、（ｖｉｉｉ）７〜８ｋＨｚ、（ｉｘ）８〜９ｋＨｚ、（ｘ）９〜１０ｋＨｚ、（ｘｉ）１０〜１１ｋＨｚ、（ｘｉｉ）１１〜１２ｋＨｚ、（ｘｉｉｉ）１２〜１３ｋＨｚ、（ｘｉｖ）１３〜１４ｋＨｚ、（ｘｖ）１４〜１５ｋＨｚ、（ｘｖｉ）１５〜１６ｋＨｚ、（ｘｖｉｉ）１６〜１７ｋＨｚ、（ｘｖｉｉｉ）１７〜１８ｋＨｚ、（ｘｉｘ）１８〜１９ｋＨｚ、（ｘｘ）１９〜２０ｋＨｚ、（ｘｘｉ）２０〜２１ｋＨｚ、（ｘｘｉｉ）２１〜２２ｋＨｚ、（ｘｘｉｉｉ）２２〜２３ｋＨｚ、（ｘｘｉｖ）２３〜２４ｋＨｚ、（ｘｘｖ）２４〜２５ｋＨｚ、（ｘｘｖｉ）２５〜２６ｋＨｚ、（ｘｘｖｉｉ）２６〜２７ｋＨｚ、（ｘｘｖｉｉｉ）２７〜２８ｋＨｚ、（ｘｘｉｘ）２８〜２９ｋＨｚ、（ｘｘｘ）２９〜３０ｋＨｚ、および（ｘｘｘｉ）＞３０ｋＨｚの範囲うちの１つ以上から選択される１つ以上の周波数成分を有する信号を供給するように配置および適合させた、先行する請求項のいずれかに記載のイオンガイドまたは質量フィルタデバイス。
【請求項１０】
前記信号手段は、１つ以上の周波数ノッチを有する信号を供給するように配置および適合させた、先行する請求項のいずれかに記載のイオンガイドまたは質量フィルタデバイス。
【請求項１１】
前記信号は、少なくとも１、２、３、４、５、６、７、８、９、１０、１１、１２、１３、１４、１５、１６、１７、１８、１９または２０の周波数ノッチを備える、先行する請求項のいずれかに記載のイオンガイドまたは質量フィルタデバイス。
【請求項１２】
前記１つ以上の周波数ノッチは、前記イオンガイドまたは質量フィルタデバイスによって前方へ移送させたい１つ以上のイオンの永続、共振、第１または基本高調波振動数に対応する、先行する請求項のいずれかに記載のイオンガイドまたは質量フィルタデバイス。
【請求項１３】
前記１つ以上の周波数ノッチは、少なくとも１、２、３、４、５、６、７、８、９、１０、１１、１２、１３、１４、１５、１６、１７、１８、１９または２０の異なる種の対象検体イオンの永続、共振、第１または、基本高調波振動数に対応する、請求項１０、１１または１２に記載のイオンガイドまたは質量フィルタデバイス。
【請求項１４】
前記信号手段は、対象検体イオンを共振により励起させ、および／または前記イオンガイドまたは質量フィルタデバイスから半径方向に排出させることが実質的にない信号を前記複数の電極またはロッドに供給するように配置および適合させた、先行する請求項のいずれかに記載のイオンガイドまたは質量フィルタデバイス。
【請求項１５】
前記１つ以上の周波数ノッチに対応する周波数において、前記イオンガイドまたは質量フィルタデバイス内のイオンは、実質的に共振により励起されないか、または共振により励起されるが、イオンが前記イオンガイドまたは質量フィルタデバイスから半径方向に排出されるのに十分には共振により励起されない、請求項１０〜１４のいずれかに記載のイオンガイドまたは質量フィルタデバイス。
【請求項１６】
前記信号手段は、質量電荷比移送ウィンドウ内に質量電荷比を有するイオンが前記イオンガイドまたは質量フィルタデバイスによって前方へ移送されるように、または、質量電荷比移送ウィンドウ外に質量電荷比を有するイオンが前記イオンガイドもしくは質量フィルタデバイスによって実質的に減衰されるか、および／または実質的にそこから共振により排出されるように、前記イオンガイドまたは質量フィルタデバイスが１つもしくは複数の離散なまたは別々の同時質量電荷比移送ウィンドウを有するように配置および適合させた、先行する請求項のいずれかに記載のイオンガイドまたは質量フィルタデバイス。
【請求項１７】
前記信号手段は、前記イオンガイドまたは質量フィルタデバイスが少なくとも１、２、３、４、５、６、７、８、９、１０、１１、１２、１３、１４、１５、１６、１７、１８、１９または２０の離散なまたは別々の同時質量電荷比移送ウィンドウを有するように配置および適合させた、請求項１６に記載のイオンガイドまたは質量フィルタデバイス。
【請求項１８】
前記離散なまたは別々の同時質量電荷比移送ウィンドウは、実質的に重複しないか、および／または連続しない、請求項１７に記載のイオンガイドまたは質量フィルタデバイス。
【請求項１９】
前記１つ以上の質量電荷比移送ウィンドウの中心および／または幅は、経時的に、または（ｉ）０〜１ｍｓ、（ｉｉ）１〜２ｍｓ、（ｉｉｉ）２〜３ｍｓ、（ｉｖ）３〜４ｍｓ、（ｖ）４〜５ｍｓ、（ｖｉ）５〜６ｍｓ、（ｖｉｉ）６〜７ｍｓ、（ｖｉｉｉ）７〜８ｍｓ、（ｉｘ）８〜９ｍｓ、（ｘ）９〜１０ｍｓ、（ｘｉ）１０〜１１ｍｓ、（ｘｉｉ）１１〜１２ｍｓ、（ｘｉｉｉ）１２〜１３ｍｓ、（ｘｉｖ）１３〜１４ｍｓ、（ｘｖ）１４〜１５ｍｓ、（ｘｖｉ）１５〜１６ｍｓ、（ｘｖｉｉ）１６〜１７ｍｓ、（ｘｖｉｉｉ）１７〜１８ｍｓ、（ｘｉｘ）１８〜１９ｍｓ、（ｘｘ）１９〜２０ｍｓ、（ｘｘｉ）２０〜２１ｍｓ、（ｘｘｉｉ）２１〜２２ｍｓ、（ｘｘｉｉｉ）２２〜２３ｍｓ、（ｘｘｉｖ）２３〜２４ｍｓ、（ｘｘｖ）２４〜２５ｍｓ、（ｘｘｖｉ）２５〜２６ｍｓ、（ｘｘｖｉｉ）２６〜２７ｍｓ、（ｘｘｖｉｉｉ）２７〜２８ｍｓ、（ｘｘｉｘ）２８〜２９ｍｓ、（ｘｘｘ）２９〜３０ｍｓ、および（ｘｘｘｉ）＞３０ｍｓからなる群から選択される期間にわたり実質的に一定のままである、請求項１６〜１８のいずれかに記載のイオンガイドまたは質量フィルタデバイス。
【請求項２０】
前記１つ以上の質量電荷比移送ウィンドウの中心および／または幅は、経時的に、または（ｉ）０〜１ｍｓ、（ｉｉ）１〜２ｍｓ、（ｉｉｉ）２〜３ｍｓ、（ｉｖ）３〜４ｍｓ、（ｖ）４〜５ｍｓ、（ｖｉ）５〜６ｍｓ、（ｖｉｉ）６〜７ｍｓ、（ｖｉｉｉ）７〜８ｍｓ、（ｉｘ）８〜９ｍｓ、（ｘ）９〜１０ｍｓ、（ｘｉ）１０〜１１ｍｓ、（ｘｉｉ）１１〜１２ｍｓ、（ｘｉｉｉ）１２〜１３ｍｓ、（ｘｉｖ）１３〜１４ｍｓ、（ｘｖ）１４〜１５ｍｓ、（ｘｖｉ）１５〜１６ｍｓ、（ｘｖｉｉ）１６〜１７ｍｓ、（ｘｖｉｉｉ）１７〜１８ｍｓ、（ｘｉｘ）１８〜１９ｍｓ、（ｘｘ）１９〜２０ｍｓ、（ｘｘｉ）２０〜２１ｍｓ、（ｘｘｉｉ）２１〜２２ｍｓ、（ｘｘｉｉｉ）２２〜２３ｍｓ、（ｘｘｉｖ）２３〜２４ｍｓ、（ｘｘｖ）２４〜２５ｍｓ、（ｘｘｖｉ）２５〜２６ｍｓ、（ｘｘｖｉｉ）２６〜２７ｍｓ、（ｘｘｖｉｉｉ）２７〜２８ｍｓ、（ｘｘｉｘ）２８〜２９ｍｓ、（ｘｘｘ）２９〜３０ｍｓ、および（ｘｘｘｉ）＞３０ｍｓからなる群から選択される期間にわたり実質的に変動および／または増加および／または低減する、請求項１６〜１８のいずれかに記載のイオンガイドまたは質量フィルタデバイス。
【請求項２１】
前記１つ以上の質量電荷比移送ウィンドウの中心および／または幅は、実質的に漸進的、非漸進的、直線的、非直線的、２次的、滑らか、段階的、規則的、ランダム、または準ランダムに変動し得る、請求項２０に記載のイオンガイドまたは質量フィルタデバイス。
【請求項２２】
前記イオンガイドまたは質量フィルタデバイスは、イオン入射口領域およびイオン出射口領域を有し、動作モードにおいて、前記イオン入射口領域において前記イオンガイドまたは質量フィルタデバイスによって受け取られたイオンのｘ％は、前記イオン出射口領域に移送され、ここでｘは、（ｉ）＜１、（ｉｉ）１〜５、（ｉｉｉ）５〜１０、（ｉｖ）１０〜１５、（ｖ）１５〜２０、（ｖｉ）２０〜２５、（ｖｉｉ）２５〜３０、（ｖｉｉｉ）３０〜３５、（ｉｘ）３５〜４０、（ｘ）４０〜４５、（ｘｉ）４５〜５０、（ｘｉｉ）５０〜５５、（ｘｉｉｉ）５５〜６０、（ｘｉｖ）６０〜６５、（ｘｖ）６５〜７０、（ｘｖｉ）７０〜７５、（ｘｖｉｉ）７５〜８０、（ｘｖｉｉｉ）８０〜８５、（ｘｉｘ）８５〜９０、（ｘｘ）９０〜９５、（ｘｘｉ）９５〜９９．９９、および（ｘｘｉｉ）＜１００からなる群から選択される、先行する請求項のいずれかに記載のイオンガイドまたは質量フィルタデバイス。
【請求項２３】
前記イオンガイドまたは質量フィルタデバイスは、イオン入射口領域およびイオン出射口領域を有し、動作モードにおいて、前記イオン入射口領域において前記イオンガイドまたは質量フィルタデバイスによって受け取られたイオンのｙ％は、前記イオン出射口領域に到達する前に減衰されるか、および／または前記イオンガイドまたは質量フィルタデバイスから半径方向に排出され、ここで、ｙは、（ｉ）＜１、（ｉｉ）１〜５、（ｉｉｉ）５〜１０、（ｉｖ）１０〜１５、（ｖ）１５〜２０、（ｖｉ）２０〜２５、（ｖｉｉ）２５〜３０、（ｖｉｉｉ）３０〜３５、（ｉｘ）３５〜４０、（ｘ）４０〜４５、（ｘｉ）４５〜５０、（ｘｉｉ）５０〜５５、（ｘｉｉｉ）５５〜６０、（ｘｉｖ）６０〜６５、（ｘｖ）６５〜７０、（ｘｖｉ）７０〜７５、（ｘｖｉｉ）７５〜８０、（ｘｖｉｉｉ）８０〜８５、（ｘｉｘ）８５〜９０、（ｘｘ）９０〜９５、（ｘｘｉ）９５〜９９．９９、および（ｘｘｉｉ）＜１００からなる群から選択される、先行する請求項のいずれかに記載のイオンガイドまたは質量フィルタデバイス。
【請求項２４】
前記イオンガイドまたは質量フィルタデバイスは、非連続な範囲の質量電荷比を有する複数の異なる所望のイオンを同時に移送するように配置および適合させた、先行する請求項のいずれかに記載のイオンガイドまたは質量フィルタデバイス。
【請求項２５】
前記ＡＣまたはＲＦ電圧源は、二位相源を備え、逆位相の前記ＡＣまたはＲＦ電圧は、隣り合う電極またはロッドに印加されるように構成される、先行する請求項のいずれかに記載のイオンガイドまたは質量フィルタデバイス。
【請求項２６】
前記ＡＣまたはＲＦ電圧源は、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、（ｘｉ）５００〜１０００Ｖピーク・トゥ・ピーク、（ｘｉｉ）１〜２ｋＶピーク・トゥ・ピーク、（ｘｉｉｉ）２〜３ｋＶピーク・トゥ・ピーク、（ｘｉｖ）３〜４ｋＶピーク・トゥ・ピーク、（ｘｖ）４〜５ｋＶピーク・トゥ・ピーク、（ｘｖｉ）５〜６ｋＶピーク・トゥ・ピーク、（ｘｖｉｉ）６〜７ｋＶピーク・トゥ・ピーク、（ｘｖｉｉｉ）７〜８ｋＶピーク・トゥ・ピーク、（ｘｉｘ）８〜９ｋＶピーク・トゥ・ピーク、（ｘｘ）９〜１０ｋＶピーク・トゥ・ピーク、および（ｘｘｉ）＞１０ｋＶピーク・トゥ・ピークからなる群から選択される振幅を有するＡＣまたはＲＦ電圧を、前記複数の電極またはロッドに印加するように配置および適合させた、先行する請求項のいずれかに記載のイオンガイドまたは質量フィルタデバイス。
【請求項２７】
前記ＡＣまたはＲＦ電圧源は、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有するＡＣまたはＲＦ電圧を、前記複数の電極またはロッドに印加するように配置および適合させた、先行する請求項のいずれかに記載のイオンガイドまたは質量フィルタデバイス。
【請求項２８】
第１動作モードにおいて、実質的にすべての前記電極またはロッドは、実質的に同じＤＣ電位または電圧に維持される、先行する請求項のいずれかに記載のイオンガイドまたは質量フィルタデバイス。
【請求項２９】
第１動作モードにおいて、前記イオンガイドまたは質量フィルタデバイスは、実質的に非分解またはイオンガイド動作モードで動作される、先行する請求項のいずれかに記載のイオンガイドまたは質量フィルタデバイス。
【請求項３０】
第２動作モードにおいて、隣り合う電極またはロッドは、実質的に異なるＤＣ電位または電圧に維持される、先行する請求項のいずれかに記載のイオンガイドまたは質量フィルタデバイス。
【請求項３１】
前記第２動作モードにおいて、隣り合う電極またはロッド間でＤＣ電位または電圧差が維持され、ここで前記ＤＣ電位または電圧差は、（ｉ）＜１Ｖ、（ｉｉ）１〜２Ｖ、（ｉｉｉ）２〜３Ｖ、（ｉｖ）３〜４Ｖ、（ｖ）４〜５Ｖ、（ｖｉ）５〜６Ｖ、（ｖｉｉ）６〜７Ｖ、（ｖｉｉｉ）７〜８Ｖ、（ｉｘ）８〜９Ｖ、（ｘ）９〜１０Ｖ、（ｘｉ）１０〜２０Ｖ、（ｘｉｉ）２０〜３０Ｖ、（ｘｉｉｉ）３０〜４０Ｖ、（ｘｉｖ）４０〜５０Ｖ、（ｘｖ）５０〜６０Ｖ、（ｘｖｉ）６０〜７０Ｖ、（ｘｖｉｉ）７０〜８０Ｖ、（ｘｖｉｉｉ）８０〜９０Ｖ、（ｘｉｘ）９０〜１００Ｖ、および（ｘｘ）＞１００Ｖからなる群から選択される、請求項３０に記載のイオンガイドまたは質量フィルタデバイス。
【請求項３２】
前記第２動作モードにおいて、対向し合う電極またはロッドは、実質的に同じＤＣ電位または電圧に維持される、請求項３０または３１に記載のイオンガイドまたは質量フィルタデバイス。
【請求項３３】
動作モードにおいて、前記イオンガイドまたは質量フィルタデバイスは、分解または質量フィルタリング動作モードで動作される、請求項３０、３１または３２に記載のイオンガイドまたは質量フィルタデバイス。
【請求項３４】
動作モードにおいて、前記イオンガイドまたは質量フィルタデバイスは、１つ以上の質量電荷比移送ウィンドウを有し、前記１つ以上の質量電荷比移送ウィンドウは、ｚ質量単位の幅を有し、ここでｚは、（ｉ）＜１、（ｉｉ）１〜２、（ｉｉｉ）２〜３、（ｉｖ）３〜４、（ｖ）４〜５、（ｖｉ）５〜６、（ｖｉｉ）６〜７、（ｖｉｉｉ）７〜８、（ｉｘ）８〜９、（ｘ）９〜１０、（ｘｉ）１０〜１５、（ｘｉｉ）１５〜２０、（ｘｉｉｉ）２０〜２５、（ｘｉｖ）２５〜３０、（ｘｖ）３０〜３５、（ｘｖｉ）３５〜４０、（ｘｖｉｉ）４０〜４５、（ｘｖｉｉｉ）４５〜５０、（ｘｉｘ）５０〜６０、（ｘｘ）６０〜７０、（ｘｘｉ）７０〜８０、（ｘｘｉｉ）８０〜９０、（ｘｘｉｉｉ）９０〜１００、（ｘｘｉｖ）１００〜１２０、（ｘｘｖ）１２０〜１４０、（ｘｘｖｉ）１４０〜１６０、（ｘｘｖｉｉ）１６０〜１８０、（ｘｘｖｉｉｉ）１８０〜２００、（ｘｘｉｘ）２００〜２５０、（ｘｘｘ）２５０〜３００、（ｘｘｘｉ）３００〜３５０、（ｘｘｘｉｉ）３５０〜４００、（ｘｘｘｉｉｉ）４００〜４５０、（ｘｘｘｉｖ）４５０〜５００、および（ｘｘｘｖ）＞５００からなる群から選択される範囲内にある、先行する請求項のいずれかに記載のイオンガイドまたは質量フィルタデバイス。
【請求項３５】
動作モードにおいて、ＤＣおよび／またはＡＣもしくはＲＦ電圧の組み合わせが、前記イオンガイドまたは質量フィルタデバイスが低域通過質量フィルタとして動作するように構成されるように前記複数の電極またはロッドに印加される、先行する請求項のいずれかに記載のイオンガイドまたは質量フィルタデバイス。
【請求項３６】
前記イオンガイドまたは質量フィルタデバイスが低域通過質量フィルタとして動作するように構成される場合に、高い質量電荷比カットオフ値よりも大きな質量電荷比を有するイオンが前記イオンガイドまたは質量フィルタデバイスによって実質的に減衰され、ここで前記高い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される、請求項３５に記載のイオンガイドまたは質量フィルタデバイス。
【請求項３７】
動作モードにおいて、ＤＣおよび／またはＡＣもしくはＲＦ電圧の組み合わせが、前記イオンガイドまたは質量フィルタデバイスが帯域通過質量フィルタとして動作するように構成されるように前記複数の電極またはロッドに印加される、先行する請求項のいずれかに記載のイオンガイドまたは質量フィルタデバイス。
【請求項３８】
前記イオンガイドまたは質量フィルタデバイスが帯域通過質量フィルタとして動作するように構成される場合に、高い質量電荷比カットオフ値よりも大きな質量電荷比を有するイオンが前記イオンガイドまたは質量フィルタデバイスによって実質的に減衰され、ここで前記高い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される、請求項３７に記載のイオンガイドまたは質量フィルタデバイス。
【請求項３９】
前記イオンガイドまたは質量フィルタデバイスが帯域通過質量フィルタとして動作するように構成される場合に、低い質量電荷比カットオフ値よりも低い質量電荷比を有するイオンが前記イオンガイドまたは質量フィルタデバイスによって実質的に減衰され、ここで前記低い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される、請求項３７または３８に記載のイオンガイドまたは質量フィルタデバイス。
【請求項４０】
動作モードにおいて、ＤＣおよび／またはＡＣもしくはＲＦ電圧の組み合わせが、前記イオンガイドまたは質量フィルタデバイスが高域通過質量フィルタとして動作するように構成されるように前記複数の電極またはロッドに印加される、先行する請求項のいずれかに記載のイオンガイドまたは質量フィルタデバイス。
【請求項４１】
前記イオンガイドまたは質量フィルタデバイスが高域通過質量フィルタとして動作するように構成される場合に、低い質量電荷比カットオフ値よりも低い質量電荷比を有するイオンが前記イオンガイドまたは質量フィルタデバイスによって実質的に減衰され、ここで前記低い質量電荷比カットオフ値は、（ｉ）＜１００、（ｉｉ）１００〜２００、（ｉｉｉ）２００〜３００、（ｉｖ）３００〜４００、（ｖ）４００〜５００、（ｖｉ）５００〜６００、（ｖｉｉ）６００〜７００、（ｖｉｉｉ）７００〜８００、（ｉｘ）８００〜９００、（ｘ）９００〜１０００、（ｘｉ）１０００〜１１００、（ｘｉｉ）１１００〜１２００、（ｘｉｉｉ）１２００〜１３００、（ｘｉｖ）１３００〜１４００、（ｘｖ）１４００〜１５００、（ｘｖｉ）１５００〜１６００、（ｘｖｉｉ）１６００〜１７００、（ｘｖｉｉｉ）１７００〜１８００、（ｘｉｘ）１８００〜１９００、（ｘｘ）１９００〜２０００、および（ｘｘｉ）＞２０００からなる群から選択される、請求項４０に記載のイオンガイドまたは質量フィルタデバイス。
【請求項４２】
先行する請求項のいずれかに記載のイオンガイドまたは質量フィルタデバイスを備える質量分析計。
【請求項４３】
前記イオンガイドまたは質量フィルタデバイスの上流および／または下流に配置される衝突、フラグメンテーションまたは反応デバイスをさらに備える請求項４２に記載の質量分析計。
【請求項４４】
前記衝突、フラグメンテーションまたは反応デバイスは、
（ｉ）多重極ロッドセットもしくは分割多重極ロッドセットであって、前記多重極ロッドセットは、四重極ロッドセット、六重極ロッドセット、八重極ロッドセット、または８つより多くのロッドを備えるロッドセットを備え、
（ｉｉ）イオントンネルもしくはイオンファネルであって、前記イオントンネルもしくはイオンファネルは、使用に際してイオンが移送される開口を有する複数の電極または少なくとも２、５、１０、２０、３０、４０、５０、６０、７０、８０、９０もしくは１００の電極を備え、前記電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、実質的に同じサイズもしくは面積を有するか、またはサイズもしくは面積が漸進的に大きくなるかおよび／もしくは小さくなる開口を有し、または
(ｉｉｉ）積層もしくは配列された平面状、板状、もしくは網状の電極であって、前記積層もしくは配列された平面状、板状、もしくは網状の電極は、複数または少なくとも２、３、４、５、６、７、８、９、１０、１１、１２、１３、１４、１５、１６、１７、１８、１９もしくは２０の平面状、板状、または網状の電極を備え、ここで前記平面状、板状、または網状の電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、使用に際してイオンが走行する平面に概ね配置され、前記質量分析計は、前記複数の平面状、板状、または網状の電極にＡＣまたはＲＦ電圧を印加するＡＣまたはＲＦ電圧手段をさらに備え、隣り合う平面状、板状、または網状の電極には逆位相の前記ＡＣまたはＲＦ電圧が印加される、
を備える、請求項４３に記載の質量分析計。
【請求項４５】
前記衝突、フラグメンテーションまたは反応デバイスは、衝突誘起解離（「ＣＩＤ」）によってイオンをフラグメンテーションするように構成されるか、または、前記衝突、フラグメンテーションまたは反応デバイスは、（ｉ）表面誘起解離（「ＳＩＤ」）フラグメンテーションデバイス、（ｉｉ）電子移動解離フラグメンテーションデバイス、（ｉｉｉ）電子捕獲解離フラグメンテーションデバイス、（ｉｖ）電子衝突または衝撃解離フラグメンテーションデバイス、（ｖ）光誘起解離（「ＰＩＤ」）フラグメンテーションデバイス、（ｖｉ）レーザ誘起解離フラグメンテーションデバイス、（ｖｉｉ）赤外放射誘起解離デバイス、（ｖｉｉｉ）紫外放射誘起解離デバイス、（ｉｘ）ノズル−スキマ間インターフェースフラグメンテーションデバイス、（ｘ）イオン源フラグメンテーションデバイス、（ｘｉ）イオン源衝突誘起解離フラグメンテーションデバイス、（ｘｉｉ）熱または温度源フラグメンテーションデバイス、（ｘｉｉｉ）電界誘起フラグメンテーションデバイス、（ｘｉｖ）磁場誘起フラグメンテーションデバイス、（ｘｖ）酵素消化または酵素分解フラグメンテーションデバイス、（ｘｖｉ）イオン−イオン反応フラグメンテーションデバイス、（ｘｖｉｉ）イオン−分子反応フラグメンテーションデバイス、（ｘｖｉｉｉ）イオン−原子反応フラグメンテーションデバイス、（ｘｉｘ）イオン−メタステーブルイオン反応フラグメンテーションデバイス、（ｘｘ）イオン−準安定分子反応フラグメンテーションデバイス、（ｘｘｉ）イオン−準安定原子反応フラグメンテーションデバイス、（ｘｘｉｉ）イオンを反応させて付加物または生成物イオンを形成するためのイオン−イオン反応デバイス、（ｘｘｉｉｉ）イオンを反応させて付加物または生成物イオンを形成するためのイオン−分子反応デバイス、（ｘｘｉｖ）イオンを反応させて付加物または生成物イオンを形成するためのイオン−原子反応デバイス、（ｘｘｖ）イオンを反応させて付加物または生成物イオンを形成するためのイオン−準安定イオン反応デバイス、（ｘｘｖｉ）イオンを反応させて付加物または生成物イオンを形成するためのイオン−準安定分子反応デバイス、および（ｘｘｖｉｉ）イオンを反応させて付加物または生成物イオンを形成するためのイオン−準安定原子反応デバイスからなる群から選択される、請求項４３または４４のいずれかに記載の質量分析計。
【請求項４６】
前記イオンガイドまたは質量フィルタデバイスの上流および／または下流に配置されるイオン移動度分光計またはセパレータをさらに備える請求項４２〜４５のいずれかに記載の質量分析計。
【請求項４７】
前記イオン移動度分光計またはセパレータは、気相電気泳動デバイスを備える、請求項に４６に記載の質量分析計。
【請求項４８】
前記イオン移動度分光計またはセパレータは、
（ｉ）ドリフト管であって、前記ドリフト管は、１つ以上の電極、および前記ドリフト管の軸方向長さの少なくとも５％、１０％、１５％、２０％、２５％、３０％、３５％、４０％、４５％、５０％、５５％、６０％、６５％、７０％、７５％、８０％、８５％、９０％、９５％または１００％に沿って軸方向ＤＣ電圧勾配または実質的に一定もしくは直線の軸方向ＤＣ電圧勾配を維持する手段を備え、
（ｉｉ）多重極ロッドセットもしくは分割多重極ロッドセットであって、前記多重極ロッドセットは、四重極ロッドセット、六重極ロッドセット、八重極ロッドセット、または８つより多くのロッドを備えるロッドセットを備え、
(ｉｉｉ）イオントンネルもしくはイオンファネルであって、前記イオントンネルもしくはイオントンネルは、使用に際してイオンが移送される開口を有する複数の電極または少なくとも２、５、１０、２０、３０、４０、５０、６０、７０、８０、９０もしくは１００の電極を備え、前記電極のうちの少なくとも５％、１０％、１５％、２０％、２５％、３０％、３５％、４０％、４５％、５０％、５５％、６０％、６５％、７０％、７５％、８０％、８５％、９０％、９５％または１００％は、実質的に同じサイズもしくは面積を有するか、またはサイズもしくは面積が漸進的に大きくなるかおよび／もしくは小さくなる開口を有し、または
(ｉｖ）積層もしくは配列された平面状、板状、もしくは網状の電極であって、前記積層もしくは配列された平面状、板状、もしくは網状の電極は、使用に際してイオンが走行する平面に概ね配置される、複数または少なくとも２、３、４、５、６、７、８、９、１０、１１、１２、１３、１４、１５、１６、１７、１８、１９もしくは２０の平面状、板状、または網状の電極を備え、前記平面状、板状、もしくは網状の電極の少なくともいくつかまたは少なくとも５％、１０％、１５％、２０％、２５％、３０％、３５％、４０％、４５％、５０％、５５％、６０％、６５％、７０％、７５％、８０％、８５％、９０％、９５％もしくは１００％には、ＡＣまたはＲＦ電圧が印加され、隣り合う平面状、板状、または網状の電極には、逆位相の前記ＡＣまたはＲＦ電圧が印加される、
を備える、請求項４６または４７に記載の質量分析計。
【請求項４９】
前記イオンガイドまたは質量フィルタデバイスの上流および／または下流に配置されるドリフト領域、ドリフト管または電界のない領域をさらに備える、請求項４２〜４８のいずれかに記載の質量分析計。
【請求項５０】
前記イオンガイドまたは質量フィルタデバイスの上流および／または下流に配置されるイオントラップまたはイオントラップ領域をさらに備える請求項４２〜４９のいずれかに記載の質量分析計。
【請求項５１】
イオンは、動作モードにおいて前記イオントラップまたはイオントラップ領域から質量選択的におよび／または共振により排出されるか、または、イオンは、動作モードにおいて前記イオントラップまたはイオントラップ領域から非質量選択的におよび／または共振により排出されるよう配置される、請求項５０に記載の質量分析計。
【請求項５２】
前記イオントラップは、（ｉ）四重極イオントラップ、（ｉｉ）２Ｄもしくは直線四重極イオントラップ、または（ｉｉｉ）ポールもしくは３Ｄ四重極イオントラップを備える、請求項５０または５１に記載の質量分析計。
【請求項５３】
（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコンを用いた脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、（ｘｖｉｉ）大気圧マトリックス支援レーザ脱離イオン化イオン源、および(ｘｖｉｉｉ）熱スプレーイオン源からなる群から選択されるイオン源をさらに備える、請求項４２〜５２のいずれかに記載の質量分析計。
【請求項５４】
前記イオン源は、パルス化または連続イオン源を備える、請求項５３に記載の質量分析計。
【請求項５５】
（ｉ）四重極質量分析器、（ｉｉ）２Ｄまたは直線四重極質量分析器、（ｉｉｉ）ポールまたは３Ｄ四重極質量分析器、（ｉｖ）ペニングトラップ質量分析器、（ｖ）イオントラップ質量分析器、（ｖｉ）扇形磁場質量分析器、（ｖｉｉ）イオンサイクロトロン共鳴（「ＩＣＲ」）質量分析器、（ｖｉｉｉ）フーリエ変換イオンサイクロトロン共鳴（「ＦＴＩＣＲ」）質量分析器、（ｉｘ）静電またはオービトラップ質量分析器、（ｘ）フーリエ変換静電またはオービトラップ質量分析器、および（ｘｉ）フーリエ変換質量分析器からなる群から選択される質量分析器をさらに備える請求項５３または５４のいずれかに記載の質量分析計。
【請求項５６】
複数の電極またはロッドを備えるイオンガイドまたは質量フィルタデバイスを準備するステップと、
ＡＣまたはＲＦ電圧を前記複数の電極またはロッドに印加するステップと、
前記イオンガイドまたは質量フィルタデバイス内またはそこから不要なイオンを共振により励起させるために前記複数の電極またはロッドに四重極波形を有する信号を供給するステップと
を含むイオンをガイドまたは質量フィルタリングする方法。
【請求項５７】
四重極ロッドセットイオンガイドを準備するステップと、
広帯域四重極周波数信号を生成するステップと、
１つ以上の周波数ノッチを有するノッチ広帯域四重極周波数信号を提供するために前記広帯域四重極周波数信号から周波数成分を除去するステップと、
１つ以上の周波数ノッチを有する前記ノッチ広帯域四重極周波数信号を前記四重極ロッドセットイオンガイドに印加するステップと、
イオンのビームを前記四重極ロッドセットイオンガイドに渡し、前記イオンのビームのサブセットを、前記四重極ロッドセット内に軸方向にイオンを閉じ込めずに、前記四重極ロッドセットイオンガイドから現れさせるステップと
を含む質量分析の方法。
【請求項５８】
四重極ロッドセットイオンガイドと、
広帯域四重極周波数信号を生成し、１つ以上の周波数ノッチを有するノッチ広帯域四重極周波数信号を提供するために前記広帯域四重極周波数信号から周波数成分を除去するように配置および適合させた信号手段と、
前記ノッチ広帯域四重極周波数信号を前記四重極ロッドセットイオンガイドに印加する手段と、
使用に際してイオンのビームのサブセットを、前記四重極ロッドセット内に軸方向にイオンを閉じ込めずに、前記四重極ロッドセットイオンガイドから現れさせるように、前記イオンのビームを前記四重極ロッドセットイオンガイドに渡す手段と
を含む質量分析計。
【国際調査報告】
2008521189.tif 000011
2008521189.tif 000012
2008521189.tif 000013